(57)【要約】【課題】不正行為を防止可能な遊技機の基板ケースユニットを提供する。【解決手段】副基板ケース本体１２１と副基板ケース蓋１７１とが結合して形成されるケース内部にサブメイン基板１１０が収容された副制御装置１００において、副基板ケース本体１２１において略方形に囲む第１側壁部１３２、第２側壁部１４２、第３側壁部１５２、および第４側壁部１６２に、第１本体側溶着部１３３、第２本体側溶着部１４３、第３本体側溶着部１５３、および第４本体側溶着部１６３が形成され、副基板ケース蓋１７１に、第１本体側溶着部１３３、第２本体側溶着部１４３、第３本体側溶着部１５３、および第４本体側溶着部１６３と溶着可能な第１蓋側溶着部１８５、第２蓋側溶着部１９５、第３蓋側溶着部２０３、および第４蓋側溶着部２１３が形成されている。【選択図】図１０
2018158263.tif 000002
【特許請求の範囲】
【請求項１】
開口部を有する略方形の箱状に形成された第１ケース部材と、前記開口部を覆って前記第１ケース部材と結合可能な蓋状に形成された第２ケース部材と、前記第１ケース部材と前記第２ケース部材とが結合して形成されるケース内部に収容され、遊技機の作動に関する制御を行う制御基板とを備えた遊技機の基板ケースユニットであって、
前記第１ケース部材において略方形に囲む４つの側壁部または該側壁部近傍にそれぞれ、前記第２ケース部材と溶着可能な第１溶着部が形成され、
前記第２ケース部材に、前記第１溶着部と溶着可能な第２溶着部が形成されていることを特徴とする遊技機の基板ケースユニット。
【請求項２】
前記４つの側壁部のうち互いに対向する一方の対の側壁部は、前記第２ケース部材が前記第１ケース部材に対して着脱可能な着脱可能位置と、前記第２ケース部材が前記開口部を覆って前記第１ケース部材と結合される結合位置とに、前記第２ケース部材をスライド移動自在に支持し、
前記第１ケース部材における前記一方の対の側壁部の縁部に、前記第１溶着部が形成され、
前記第２ケース部材における前記一方の対の側壁部と対向する部分に、前記第２溶着部が形成されていることを特徴とする請求項１に記載の遊技機の基板ケースユニット。
【請求項３】
前記第１ケース部材は、前記一方の対の側壁部の外部側に形成された第１係合部を有し、
前記第２ケース部材は、前記第２ケース部材の側部の内側近傍に形成されて前記第２ケース部材が前記着脱可能位置から前記結合位置にスライド移動する際に前記第１係合部と係合する第２係合部と、前記第２ケース部材の側部に形成されて前記第２係合部および前記第２係合部と係合した前記第１係合部を覆うサイドカバー部とを有していることを特徴とする請求項２に記載の遊技機の基板ケースユニット。
【請求項４】
前記第２ケース部材に、前記制御基板の一部を外部に露出させる基板露出部が形成されており、
前記基板露出部を覆うカバー部材を備え、
前記４つの側壁部のうち他方の対の側壁部のいずれかに、前記カバー部材と溶着可能なケース側溶着部が形成され、
前記カバー部材に、前記ケース側溶着部と溶着可能なカバー側溶着部が形成されていることを特徴とする請求項３に記載の遊技機の基板ケースユニット。
【請求項５】
前記ケース側溶着部と前記カバー側溶着部との溶着態様が、前記第１溶着部と前記第２溶着部との溶着態様と異なることを特徴とする請求項４に記載の遊技機の基板ケースユニット。
【発明の詳細な説明】
【技術分野】
【０００１】
本発明は、スロットマシン等の遊技機の基板ケースユニットに関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の基体部（本体部材）と、基体部の前面開口部を開閉可能な前面扉（開閉部材）とを備えて構成されている。また、前面扉には、電飾装置や化粧板等の装飾部品と、電飾装置等の制御を行う副制御装置とが取り付けられている。主制御装置は、電子部品が実装された主制御基板と、主制御基板を収容する主基板ケースとを主体に構成される（例えば、特許文献１を参照）。また、副制御装置は、電子部品が実装された副制御基板と、副制御基板を収容する副基板ケースとを主体に構成される。各基板ケースは、ネジ部材を用いて一対のケース部材が閉じるように結合され、ケース内部への不正なアクセスを防止するようになっている。
【先行技術文献】
【特許文献】
【０００３】
【特許文献１】特開２０１４−５７６７４号公報
【発明の概要】
【発明が解決しようとする課題】
【０００４】
このような遊技機では、不正行為を防止するための方策が求められている。
【０００５】
本発明は、このような課題に鑑みてなされたものであり、不正行為を防止可能な遊技機の基板ケースユニットを提供することを目的とする。
【課題を解決するための手段】
【０００６】
このような目的達成のため、本発明に係る遊技機の基板ケースユニットは、開口部を有する略方形の箱状に形成された第１ケース部材と、前記開口部を覆って前記第１ケース部材と結合可能な蓋状に形成された第２ケース部材と、前記第１ケース部材と前記第２ケース部材とが結合して形成されるケース内部に収容され、遊技機の作動に関する制御を行う制御基板とを備えた遊技機の基板ケースユニットであって、前記第１ケース部材において略方形に囲む４つの側壁部または該側壁部近傍にそれぞれ、前記第２ケース部材と溶着可能な第１溶着部が形成され、前記第２ケース部材に、前記第１溶着部と溶着可能な第２溶着部が形成されている。
【発明の効果】
【０００７】
本発明によれば、不正行為を防止することができる。
【図面の簡単な説明】
【０００８】
【図１】スロットマシンの正面図である。
【図２】スロットマシンの内部構造を示す正面図である。
【図３】スロットマシンの前面扉を後方から見た図である。
【図４】第１実施形態の副制御装置を示す斜視図である。
【図５】第１実施形態の副制御装置を示す側面図である。
【図６】（ａ）は図５の矢印VIA−VIAの方向から見た断面図であり、（ｂ）は図５の矢印VIB−VIBの方向から見た断面図である。
【図７】（ａ）は図５の矢印VIIA−VIIAの方向から見た断面図であり、（ｂ）は図５の矢印VIIB−VIIBの方向から見た断面図である。
【図８】ブラケット部材から副制御装置を取り外した状態をスロットマシンの内部側から見た斜視図である。
【図９】ブラケット部材から副制御装置を取り外した状態をスロットマシンの外部側から見た斜視図である。
【図１０】第１実施形態の副制御装置を前方から見た分解斜視図である。
【図１１】第１実施形態の副制御装置を後方から見た分解斜視図である。
【図１２】副基板ケース蓋が着脱可能位置に位置する状態の副基板ケースの側面図である。
【図１３】副基板ケース蓋が着脱可能位置に位置する状態の副基板ケースの斜視図である。
【図１４】副基板ケース本体の側面図である。
【図１５】連結部材の斜視図である。
【図１６】（ａ）は第２実施形態の副制御装置を上方から見た斜視図であり、（ｂ）は第２実施形態の副制御装置を下方から見た斜視図である。
【図１７】（ａ）は第２実施形態の副制御装置をスロットマシンの内部側から見た側面図であり、（ｂ）は第２実施形態の副制御装置をスロットマシンの外部側から見た側面図である。
【図１８】（ａ）は図１７（ａ）の矢印XVIIIA−XVIIIAの方向から見た断面図であり、（ｂ）は図１７（ａ）の矢印XVIIIB−XVIIIBの方向から見た断面図である。
【図１９】（ａ）は図１７（ａ）の矢印XIXA−XIXAの方向から見た断面図であり、（ｂ）は図１７（ａ）の矢印XIXB−XIXBの方向から見た断面図である。
【図２０】図１７（ａ）の矢印XX−XXの方向から見た断面図である。
【図２１】第２実施形態の副制御装置を前方から見た分解斜視図である。
【図２２】第２実施形態の副制御装置を後方から見た分解斜視図である。
【発明を実施するための形態】
【０００９】
以下、本発明の好ましい実施形態について図面を参照して説明する。まず、図１〜図３を参照しながら、遊技機の実施形態としてスロットマシンＳＭの概要について説明する。なお、本実施形態において、図１の各矢印で示す方向をそれぞれ、上下方向、前後方向、左右方向として説明する。本実施形態のスロットマシンＳＭは、箱状の基体部１０と、前面扉２０とを主体に構成される。基体部１０は前方に開口部１０ａを有する箱状に形成され、基体部１０の前部に前面扉２０が取り付けられる。前面扉２０は、ヒンジ機構５ａ，５ｂを用いて基体部１０の左前部に枢支され、基体部１０の開口部１０ａを揺動開閉可能に構成される。
【００１０】
基体部１０の内部中央には、４つのリール１２ａ，１２ｂ，１２ｃ，１２ｄを備えるリールユニット１１が設けられ、前面扉２０に設けられたリール表示窓２２を通して４つのリール１２ａ，１２ｂ，１２ｃ，１２ｄに描かれている図柄を視認することができるようになっている。基体部１０の内部下側には、スロットマシンＳＭに搭載された種々の装置に電源を供給する電源ユニット１３、およびメダルを貯留しておくホッパー１４ａを備えるメダル払出装置１４が設けられる。基体部１０の背板部の上側内面には、スロットマシンＳＭで行われる遊技を全体的に制御する主制御装置１５が設けられる。ヒンジ機構５ａ，５ｂが設けられる基体部１０の左側板部の上側内面には、スロットマシンＳＭの演出制御として演出決定処理を行う副制御装置１００が設けられる。
【００１１】
前面扉２０には前面枠２１が形成されており、前面枠２１の略中央部にリール表示窓２２が設けられる。前面扉２０の前面側中央には、リール表示窓２２の下方に位置して操作パネル２３が設けられる。操作パネル２３の前面側には、スタートスイッチ２４、および
３つのストップスイッチ２５ａ，２５ｂ，２５ｃが設けられる。操作パネル２３の上面側には、各種ベットスイッチ２６、各種演出操作スイッチ２７、およびメダル投入口２８が設けられる。
【００１２】
前面扉２０の前面側上部には、所定の演出画像を表示する画像表示装置３０、および左右のサイドランプ３１，３２が設けられる。前面扉２０の前面側下部には、装飾パネル３３、およびメダル払出装置１４から払い出されたメダルが貯留される受け皿３４が設けられる。
【００１３】
前面扉２０が基体部１０の開口部１０ａを閉じた状態では、前面扉２０の後面側が基体部１０の内部側に位置する。前面扉２０の後面側には、スロットマシンＳＭの演出制御として各種演出装置の演出制御処理を行う演出制御ユニット３５、左右の上部スピーカーユニット３６，３７、および左右の下部スピーカーユニット３８，３９が設けられる。
【００１４】
［副制御装置の第１実施形態］
次に、第１実施形態に係る副制御装置１００について図４〜図１５を参照して説明する。第１実施形態に係る副制御装置１００は、図１０および図１１に示すように、サブメイン基板１１０と、サブメイン基板１１０を収容する副基板ケース１２０とを主体に構成された基板ケースユニットである。副制御装置１００は、図４および図５に示すように、基体部１０の左側板部の上側内面に固設されたサブ側ブラケット部材３００に取り付けられる。以降、基体部１０に対する副制御装置１００の取り付け方向を基準に、図４の各矢印で示す方向をそれぞれ、上下方向、前後方向、左右方向として説明する。サブメイン基板１１０は、主制御装置１５（主制御基板）からの出力情報（コマンドデータ）に基づいて、演出抽選など演出決定処理を行う。
【００１５】
サブメイン基板１１０は、図１０および図１１に示すように、サブメインＣＰＵ（Central  Processing  Unit）、拡張ワークＲＡＭ（Random  Access  Memory）、プログラム
ＲＯＭ（Read  Only  Memory）１１３等の電子部品（電子素子）と、副基板側光コネクタ１１４、パラレル通信用コネクタ１１５等の電気部品と、サブメインＣＰＵ、拡張ワークＲＡＭ等に電力を供給可能なバックアップ電源素子１１７と、これらが実装されるプリント基板１１１とから構成される。また、サブメイン基板１１０の前部および下部には、複数の電気コネクタ１１６，１１６，…が配設される。
【００１６】
副基板側光コネクタ１１４は、光通信ケーブル９００を介して主制御装置１５（主制御基板）と副制御装置１００（サブメイン基板１１０）と接続するための光コネクタであり、サブメイン基板１１０の上部後側に後方を向いて配設される。副基板側光コネクタ１１４には、光通信ケーブル９００のケーブル側コネクタ９２０がプリント基板１１１の実装面１１１ａに沿って嵌合接続されるようになっている。図６（ａ）に示すように、ケーブル側コネクタ９２０が副基板側光コネクタ１１４と嵌合した状態で、ケーブル側コネクタ９２０から突出する光通信ケーブル９００の端部と、副基板側光コネクタ１１４に内蔵された受光素子１１４ｓとが、互いに近接した状態で対向配置される。これにより、光通信ケーブル９００から伝送された光信号が副基板側光コネクタ１１４の受光素子１１４ｓにおいて電気信号（指令信号）に変換され、当該受光素子１１４ｓからサブメイン基板１００の指令信号受信回路（図示せず）に指令信号が送信される。
【００１７】
パラレル通信用コネクタ１１５は、演出用リール（例えば、最も左側の第１リール１２ａ）の制御を行うためにストップスイッチ２５ａ，２５ｂ，２５ｃからの操作信号等に関するパラレル通信が行われる不図示のパラレル通信用ケーブル（図示せず）を介して、主制御装置１５（主制御基板）と副制御装置１００（サブメイン基板１１０）とを電気的に接続するための電気コネクタである。図１０および図１１に示すように、パラレル通信用
コネクタ１１５は、サブメイン基板１１０の上部後側に、副基板側光コネクタ１１４と略平行に並んで配設される。パラレル通信用コネクタ１１５には、パラレル通信用ケーブル（図示せず）のケーブル側コネクタ（図示せず）がプリント基板１１１の実装面１１１ａに沿って嵌合接続されるようになっている。
【００１８】
プログラムＲＯＭ１１３は、プリント基板１１１の中央部に配設され、図６（ｂ）に示すようにＲＯＭカバー１０５に密着して覆われている。ＲＯＭカバー１０５は、図６（ｂ）および図１０に示すように透明樹脂材料を用いて箱状に形成され、ＲＯＭカバー固定ネジ１０６（図２１を参照）を用いて、プログラムＲＯＭ１１３を覆うようにプリント基板１１１の実装面１１１ａに取り付けられる。また、図６（ａ）および図１０に示すように、プリント基板１１１における副基板側光コネクタ１１４の反対側に位置する領域は、保護カバー１０７に覆われている。保護カバー１０７は、透明樹脂材料を用いて薄板状に形成され、保護カバー固定ネジ１０８（図２１を参照）を用いて、プリント基板１１１における実装面１１１ａと反対側の面に取り付けられる。保護カバー１０７は、プリント基板１１１における実装面１１１ａと反対側の面に位置する副基板側光コネクタ１１４のリード線１１４Ｌ（図６（ａ）を参照）等を覆って保護するようになっている。
【００１９】
図１０および図１１に示すように、プリント基板１１１の四隅には、基板固定ネジ２５９が挿通されるネジ挿通穴１１２が形成される。サブメイン基板１１０は、基板固定ネジ２５９を用いて、シールドプレート２５１とともに副基板ケース１２０の副基板ケース蓋１７１に取り付け固定される。シールドプレート２５１は、金属板材を用いて略方形の板状に形成され、プリント基板１１１における実装面１１１ａと反対側の面を覆うようになっている。シールドプレート２５１の四隅には、基板固定ネジ２５９が挿通されるネジ挿通穴２５２が、サブメイン基板１１０のネジ挿通穴１１２と位置整合して形成される。シールドプレート２５１の底部には、副基板ケース１２０の副基板ケース本体１２１に形成された複数の支持リブ１２３，１２３，…が挿通される複数のリブ挿通穴２５３，２５３，…が形成される。シールドプレート２５１の四方の側部には、プリント基板１１１における実装面１１１ａと反対側の面を囲む折り曲げ部２５４が形成されている。
【００２０】
副基板ケース１２０は、副基板ケース本体１２１と、副基板ケース蓋１７１と、コネクタカバー２６１とを有し、副基板ケース本体１２１と副基板ケース蓋１７１とが結合されて形成されるケース内部に、サブメイン基板１１０およびシールドプレート２５１を収容可能に構成される。副基板ケース本体１２１は、図１０および図１４に示すように、透明樹脂材料を用いて右方に開口部１２１ａを有する略方形の箱状に形成される。すなわち、副基板ケース本体１２１の左方に、副基板ケース本体１２１の底部１２２が配置される。また、略方形の開口部１２１ａを囲んで、副基板ケース本体１２１の下方に第１側壁部１３２が配置され、副基板ケース本体１２１の上方に第２側壁部１４２が配置され、副基板ケース本体１２１の前方に第３側壁部１５２が配置され、副基板ケース本体１２１の後方に第４側壁部１６２が配置される。副基板ケース本体１２１の底部１２２には、ケース内部に収容されたサブメイン基板１１０を支持する支持リブ１２３が複数形成される。
【００２１】
副基板ケース本体１２１の第１側壁部１３２は、副基板ケース蓋１７１の第１スライドカバー部１８３と摺接可能に構成され、副基板ケース蓋１７１が副基板ケース本体１２１に対して着脱可能な着脱可能位置と、副基板ケース蓋１７１が開口部１２１ａを覆って副基板ケース本体１２１と結合される結合位置とに、副基板ケース蓋１７１を前後方向にスライド移動自在に支持する。第１側壁部１３２の縁部には、溶剤を用いて副基板ケース蓋１７１の第１蓋側溶着部１８５と溶着可能な第１本体側溶着部１３３が形成される。第１本体側溶着部１３３には、第１蓋側溶着部１８５の第１蓋側溶着面１８６と対向して溶着可能な平面状の第１本体側溶着面１３４が形成される。第１本体側溶着面１３４には、第１蓋側溶着部１８５の第１ケース溶着用注入部１８７と繋がる溝状の第１ケース溶着用溝
部１３５が形成される。第１ケース溶着用溝部１３５は、第１本体側溶着面１３４（第１側壁部１３２）の延伸方向に沿って串状に延びて形成されている。
【００２２】
第１側壁部１３２の外側面には、底部１２２と一体化するように外方に突出する第１フランジ部１３６が形成される。第１フランジ部１３６には、副基板ケース蓋１７１の第１蓋側スライド係合部１８４と係合可能な鉤爪状の第１本体側スライド係合部１３７が複数並んで形成される。第１フランジ部１３６の前部には、連結部材２７１（図１５を参照）のケース側連結部２７３の先端側を収容可能な本体側連結部材収容部１３８が形成される。
【００２３】
副基板ケース本体１２１の第２側壁部１４２は、第１側壁部１３２と対向して配置されて副基板ケース蓋１７１の第２スライドカバー部１９３と摺接可能に構成され、第１側壁部１３２とともに、前述の着脱可能位置と結合位置とに副基板ケース蓋１７１をスライド移動自在に支持する。第２側壁部１４２の縁部には、溶剤を用いて副基板ケース蓋１７１の第２蓋側溶着部１９５と溶着可能な第２本体側溶着部１４３が形成される。第２本体側溶着部１４３には、第２蓋側溶着部１９５の第２蓋側溶着面１９６と対向して溶着可能な平面状の第２本体側溶着面１４４が形成される。第２本体側溶着面１４４には、第２蓋側溶着部１９５の第２ケース溶着用注入部１９７と繋がる溝状の第２ケース溶着用溝部１４５が形成される。第２ケース溶着用溝部１４５は、第２本体側溶着面１４４（第２側壁部１４２）の延伸方向に沿って串状に延びて形成されている。
【００２４】
第２側壁部１４２の外側面には、底部１２２と一体化するように外方に突出する第２フランジ部１４６が形成される。第２フランジ部１４６には、副基板ケース蓋１７１の第２蓋側スライド係合部１９４と係合可能な鉤爪状の第２本体側スライド係合部１４７が複数並んで形成される。第２フランジ部１４６の前部には、副基板ケース蓋１７１の蓋側係止部１９９が重なるブロック状の本体側係止部１４８が第３側壁部１５２よりも前方に突出して形成されている。
【００２５】
第３側壁部１５２の下側には、溶剤を用いて副基板ケース蓋１７１の第３蓋側溶着部２０３と溶着可能な第３本体側溶着部１５３が前方に張り出して形成される。第３本体側溶着部１５３は、第３側壁部１５２の延伸方向に沿って上下方向に延びる曲面形状の本体側曲面部１５４を有し、この本体側曲面部１５４の縁部に段付き面となる第３本体側溶着面１５６が形成されている。第３本体側溶着面１５６は、本体側曲面部１５４の延伸方向に対し「く」の字形に屈曲傾斜して延びて形成され、第３蓋側溶着部２０３の第３蓋側溶着面２０６と当接して溶着可能に構成される。
【００２６】
第４側壁部１６２の下側には、溶剤を用いて副基板ケース蓋１７１の第４蓋側溶着部２１３と溶着可能な第４本体側溶着部１６３が後方に突出して形成される。第４本体側溶着部１６３は、第４側壁部１６２の外側面に沿って上下方向に延びる平板状に形成される。第４本体側溶着部１６３には、第４蓋側溶着部２１３の第４蓋側溶着面２１４と対向して溶着可能な平面状の第４本体側溶着面１６４が形成される。第４本体側溶着面１６４には、第４蓋側溶着部２１３の第４ケース溶着用注入部２１５と繋がる溝状の第４ケース溶着用溝部１６５が形成される。第４ケース溶着用溝部１６５は、第４本体側溶着面１６４（第４側壁部１６２）の延伸方向に沿って串状に延びて形成されている。また、第４本体側溶着部１６３の上下の側端部には、第４本体側溶着面１６４（および第４蓋側溶着面２１４）の上方および下方を囲む本体側ガードリブ１６６が形成される。
【００２７】
第４側壁部１６２の上側には、溶剤を用いてコネクタカバー２６１のカバー側溶着部２６５と溶着可能なケース側溶着部１６７が後方に突出して形成される。ケース側溶着部１６７は、第４側壁部１６２の外側面に沿って上下方向に延びる平板状に形成される。ケー
ス側溶着部１６７には、カバー側溶着部２６５のカバー側溶着面２６６と対向して溶着可能な平面状のケース側溶着面１６８が形成される。ケース側溶着面１６８には、カバー側溶着部２６５のカバー溶着用注入部２６７と繋がる溝状のカバー溶着用溝部１６９が形成される。カバー溶着用溝部１６９は、ケース側溶着面１６８（第４側壁部１６２）の延伸方向に沿って串状に延びて形成されている。また、ケース側溶着部１６７の上下の側端部には、ケース側溶着面１６８（およびカバー側溶着面２６６）の上方および下方を囲むケース側ガードリブ１７０が形成される。
【００２８】
副基板ケース蓋１７１は、透明樹脂材料を用いて左方が開口した略方形の蓋状に形成される。すなわち、副基板ケース蓋１７１の右方に、副基板ケース蓋１７１の天井部１７２が配置される。天井部１７２の四隅には、ネジ穴を有する基板取付けボス１７３が形成される。プリント基板１１１の実装面１１１ａと反対側の面にシールドプレート２５１を重ねた状態で、基板固定ネジ２５９をシールドプレート２５１のネジ挿通穴２５２およびプリント基板１１１のネジ挿通穴１１２に挿通させて基板取付けボス１７３にネジ固定することにより、サブメイン基板１１０およびシールドプレート２５１が副基板ケース蓋１７１の内側に固定される。これにより、サブメイン基板１１０のプログラムＲＯＭ１１３（ＲＯＭカバー１０５）、副基板側光コネクタ１１４、パラレル通信用コネクタ１１５等は、副基板ケース蓋１７１に覆われた状態となり、サブメイン基板１１０の保護カバー１０７等は、シールドプレート２５１に覆われた状態となる。
【００２９】
図６（ａ）にも示すように、天井部１７２の上部後側には、副基板側光コネクタ１１４の一部（受光素子１１４ｓの近傍）を囲む囲い部１７４が形成される。囲い部１７４には、副基板側光コネクタ１１４の穴の一部を覆って副基板側光コネクタ１１４からケーブル側コネクタ９２０が抜けるのを防止する抜け止め部１７５等が形成されている。また、天井部１７２の上部後側には、サブメイン基板１１０における副基板側光コネクタ１１４およびパラレル通信用コネクタ１１５の後方近傍を露出させる基板露出部１７６が、後述する第４サイドカバー部２１２の一部を切り欠くように形成される。天井部１７２の前部および下部には、サブメイン基板１１０の複数の電気コネクタ１１６，１１６，…を露出させるコネクタ露出部１７７が形成される。天井部１７２の下部後側には、不図示のハーネスクランプが取り付けられるハーネス固定部１７８が形成される。
【００３０】
副基板ケース蓋１７１の下方側部には、副基板ケース本体１２１の第１側壁部１３２の外部側を覆う第１サイドカバー部１８２が形成される。第１サイドカバー部１８２は、前後方向に延びる壁状に形成され、副基板ケース本体１２１の第１本体側スライド係合部１３７を覆うようになっている。図７（ｂ）に示すように、第１サイドカバー部１８２の内側には、第１スライドカバー部１８３が第１サイドカバー部１８２と略平行に延びて形成される。第１スライドカバー部１８３は、断面視門型に前後方向に延びて形成され、副基板ケース本体１２１の第１側壁部１３２と摺接可能に構成される。図７（ａ）および（ｂ）に示すように、第１サイドカバー部１８２と第１スライドカバー部１８３との間には、副基板ケース本体１２１の第１本体側スライド係合部１３７と係合可能な突起状の第１蓋側スライド係合部１８４が形成される。副基板ケース蓋１７１を副基板ケース本体１２１に重ねた状態で、副基板ケース蓋１７１を副基板ケース本体１２１に対して着脱可能位置から結合位置へ前方にスライド移動させることにより、第１本体側スライド係合部１３７と第１蓋側スライド係合部１８４とが係合可能に構成される。
【００３１】
図７（ｂ）に示すように、第１スライドカバー部１８３の天井部には、溶剤を用いて副基板ケース本体１２１（第１側壁部１３２）の第１本体側溶着部１３３と溶着可能な第１蓋側溶着部１８５が形成される。第１蓋側溶着部１８５には、第１本体側溶着部１３３の第１本体側溶着面１３４と対向して溶着可能な平面状の第１蓋側溶着面１８６が形成される。また、第１蓋側溶着部１８５には、外部側から第１蓋側溶着部１８５の第１蓋側溶着
面１８６と第１本体側溶着部１３３の第１本体側溶着面１３４との間に溶剤が注入される穴状の第１ケース溶着用注入部１８７が形成される。第１ケース溶着用注入部１８７に注入される溶剤として、例えば、ジクロロメタン等が用いられる。
【００３２】
図７（ａ）および図１０に示すように、第１サイドカバー部１８２および第１スライドカバー部１８３の前部には、連結部材２７１（図１５を参照）を収容可能な蓋側連結部材収容部１８９が形成される。蓋側連結部材収容部１８９の天井部には、連結部材２７１のベース部２７２（図１５を参照）と係合可能な係合突起１８９ａ（図９も参照）が形成される。
【００３３】
副基板ケース蓋１７１の上方側部には、副基板ケース本体１２１の第２側壁部１４２の外部側を覆う第２サイドカバー部１９２が形成される。第２サイドカバー部１９２は、前後方向に延びる壁状に形成され、副基板ケース本体１２１の第２本体側スライド係合部１４７を覆うようになっている。図７（ｂ）に示すように、第２サイドカバー部１９２の内側には、第２スライドカバー部１９３が第２サイドカバー部１９２と略平行に延びて形成される。第２スライドカバー部１９３は、断面視門型に前後方向に延びて形成され、副基板ケース本体１２１の第２側壁部１４２と摺接可能に構成される。第２サイドカバー部１９２と第２スライドカバー部１９３との間には、副基板ケース本体１２１の第２本体側スライド係合部１４７と係合可能な突起状の第２蓋側スライド係合部１９４が形成される。副基板ケース蓋１７１を副基板ケース本体１２１に重ねた状態で、副基板ケース蓋１７１を副基板ケース本体１２１に対して着脱可能位置から結合位置へ前方にスライド移動させることにより、第２本体側スライド係合部１４７と第２蓋側スライド係合部１９４とが係合可能に構成される。
【００３４】
第２スライドカバー部１９３の天井部には、溶剤を用いて副基板ケース本体１２１（第１側壁部１３２）の第２本体側溶着部１４３と溶着可能な第２蓋側溶着部１９５が形成される。第２蓋側溶着部１９５には、第２本体側溶着部１４３の第２本体側溶着面１４４と対向して溶着可能な平面状の第２蓋側溶着面１９６が形成される。また、第２蓋側溶着部１９５には、外部側から第２蓋側溶着部１９５の第２蓋側溶着面１９６と第２本体側溶着部１４３の第２本体側溶着面１４４との間に溶剤が注入される穴状の第２ケース溶着用注入部１９７が形成される。第２ケース溶着用注入部１９７に注入される溶剤として、例えば、ジクロロメタン等が用いられる。
【００３５】
図１０および図１１に示すように、第２サイドカバー部１９２および第２スライドカバー部１９３の前部には、副基板ケース本体１２１の本体側係止部１４８にスライド移動自在に重なる蓋側係止部１９９が形成される。本体側係止部１４８および蓋側係止部１９９は、サブ側ブラケット部材３００のケース係止部３０７に係止させることができるように構成されている。
【００３６】
副基板ケース蓋１７１の前方側部には、副基板ケース本体１２１の第３側壁部１５２の内部側を覆う第３サイドカバー部２０２が形成される。第３サイドカバー部２０２は、上下方向に延びる壁状に形成され、副基板ケース本体１２１の第３側壁部１５２の内側面に重なるようになっている。第３サイドカバー部２０２の下側には、溶剤を用いて副基板ケース本体１２１の第３本体側溶着部１５３と溶着可能な第３蓋側溶着部２０３が前方に張り出して形成される。第３蓋側溶着部２０３は、第３サイドカバー部２０２の延伸方向に沿って上下方向に延びる曲面形状の蓋側曲面部２０４を有し、この蓋側曲面部２０４の縁部に段付き面となる第３蓋側溶着面２０６が形成されている。第３蓋側溶着面２０６は、蓋側曲面部２０４の延伸方向に対し「く」の字形に屈曲傾斜して延びて形成され、第３本体側溶着部１５３の第３本体側溶着面１５６と当接して溶着可能に構成される。互いに当接した第３蓋側溶着面２０６と第３本体側溶着面１５６との間（露出する第３ケース溶着
用注入部）に外部側から溶剤が注入されて、第３蓋側溶着部２０３（第３蓋側溶着面２０６）と第３本体側溶着部１５３（第３本体側溶着面１５６）とが溶着するようになっている。第３蓋側溶着面２０６と第３本体側溶着面１５６との間に注入される溶剤として、例えば、ジクロロメタン等が用いられる。
【００３７】
第３本体側溶着部１５３と第３蓋側溶着部２０３とが溶着した状態で、第３本体側溶着部１５３の本体側曲面部１５４と第３蓋側溶着部２０３の蓋側曲面部２０４とが一体化して、断面視弧状に一様に湾曲して上下方向に延びるように形成される。一体化した本体側曲面部１５４および蓋側曲面部２０４の曲面形状（断面形状）は、図６（ｂ）に示すように、当該曲面形状の延伸方向と略垂直な前方に向かうにつれて曲率が連続的に増加するように形成される。これにより、本体側曲面部１５４および蓋側曲面部２０４の曲面形状は、副基板ケース本体１２１の第３側壁部１５２および副基板ケース蓋１７１の第３サイドカバー部２０２に近づく後側において比較的平面に近い形状となり、第３側壁部１５２および第３サイドカバー部２０２から離れる前側において比較的大きく湾曲した形状となる。
【００３８】
図４および図５に示すように、第３本体側溶着部１５３と第３蓋側溶着部２０３とが溶着した状態で、本体側曲面部１５４と蓋側曲面部２０４とに跨って、第１の識別マーク２２１および、第１の識別マーク２２１と異なる第２の識別マーク２２２が形成されるようになっている。第１の識別マーク２２１は、例えば所定の図形の形状（認証マーク、コーポレートマーク、２次元コード等）を有し、本体側曲面部１５４および蓋側曲面部２０４の下側に形成される。なお、説明容易化のため、図４等に第１の識別マーク２２１として円形のマークが記載されているが、これに限られるものではない。第２の識別マーク２２２は、例えば所定の数字の形状（製造番号、型式番号、識別番号等）を有し、本体側曲面部１５４および蓋側曲面部２０４の上側に形成される。なお、説明容易化のため、図４等に第２の識別マーク２２２として３桁の数字（１２３）が記載されているが、これに限られるものではない。第１の識別マーク２２１および第２の識別マーク２２２はともに、ＹＶＯ４レーザーを利用したレーザー加工機を用いて、本体側曲面部１５４および蓋側曲面部２０４に対し内部マーキングが施されて形成されるようになっている。
【００３９】
なお、内部マーキングを行うため、副基板ケース本体１２１および副基板ケース蓋１７１の透明樹脂材料として、例えば、ＡＢＳ樹脂にレーザー光に反応しやすい所定の添加剤を加えた樹脂材料が用いられる。また、内部マーキングを行うため、第３本体側溶着部１５３と第３蓋側溶着部２０３は、副基板ケース本体１２１および副基板ケース蓋１７１における他の部分よりもケース厚さが厚くなるように形成されている。
【００４０】
図６（ｂ）および図１１に示すように、副基板ケース蓋１７１の後方側部には、副基板ケース本体１２１の第４側壁部１６２の外部側を覆う第４サイドカバー部２１２が形成される。第４サイドカバー部２１２は、上下方向に延びる壁状に形成され、副基板ケース本体１２１の第４側壁部１６２の外側面に重なるようになっている。第４サイドカバー部２１２の下側には、溶剤を用いて副基板ケース本体１２１の第４本体側溶着部１６３と溶着可能な第４蓋側溶着部２１３が後方に突出して形成される。第４蓋側溶着部２１３は、第４サイドカバー部２１２の外側面に沿って上下方向に延びる平板状に形成される。第４蓋側溶着部２１３には、第４本体側溶着部１６３の第４本体側溶着面１６４と対向して溶着可能な平面状の第４蓋側溶着面２１４が形成される。また、第４蓋側溶着部２１３には、外部側から第４蓋側溶着部２１３の第４蓋側溶着面２１４と第４本体側溶着部１６３の第４本体側溶着面１６４との間に溶剤が注入される穴状の第４ケース溶着用注入部２１５が形成される。第４ケース溶着用注入部２１５に注入される溶剤として、例えば、ジクロロメタン等が用いられる。また、第４蓋側溶着部２１３の後端部には、第４蓋側溶着面２１４（および第４本体側溶着面１６４）の後方を囲む蓋側ガードリブ２１７が形成される。
【００４１】
コネクタカバー２６１は、図６（ａ）および図１０に示すように、透明樹脂材料を用いて蓋状に形成され、副基板ケース蓋１７１の基板露出部１７６において露出した、サブメイン基板１１０における副基板側光コネクタ１１４およびパラレル通信用コネクタ１１５の後方近傍を覆って副基板ケース本体１２１のケース側溶着部１６７に溶着される。コネクタカバー２６１の先端側には、サブメイン基板１１０の副基板側光コネクタ１１４にケーブル側コネクタ９２０が嵌合した状態の光通信ケーブル９００が挿通される第１溝部２６３と、サブメイン基板１１０のパラレル通信用コネクタ１１５にケーブル側コネクタ（図示せず）が嵌合した状態のパラレル通信用ケーブル（図示せず）が挿通される第２溝部２６４とが略平行に並んで形成される。
【００４２】
コネクタカバー２６１の基端側には、溶剤を用いて副基板ケース本体１２１のケース側溶着部１６７と溶着可能なカバー側溶着部２６５が平板状に形成される。カバー側溶着部２６５には、ケース側溶着部１６７のケース側溶着面１６８と対向して溶着可能な平面状のカバー側溶着面２６６が形成される。また、カバー側溶着部２６５には、外部側からカバー側溶着部２６５のカバー側溶着面２６６とケース側溶着部１６７のケース側溶着面１６８との間に溶剤が注入される穴状のカバー溶着用注入部２６７が形成される。カバー溶着用注入部２６７に注入される溶剤として、例えば、ジクロロメタン等が用いられる。また、ケース側溶着部１６７の後端部には、カバー側溶着面２６６（およびケース側溶着面１６８）の後方を囲むカバー側ガードリブ２６９が形成される。
【００４３】
副制御装置１００が取り付けられるサブ側ブラケット部材３００は、図８および図９に示すように、樹脂材料を用いて容器状に形成され、副基板ケース１２０を受容可能なケース受容部３０１を主体に構成される。ケース受容部３０１の底部外側には、係合突起３０２と、ブラケット固定ボス３０３とが形成される。係合突起３０２は、基体部１０の左側板部の上側内面に形成された係合穴（図示せず）と係合し、基体部１０の左側板部に対するサブ側ブラケット部材３００の位置決めを行うようになっている。ブラケット固定ボス３０３は、中央にネジ挿通穴を有して形成され、不図示のブラケット固定ネジ（図示せず）をブラケット固定ボス３０３のネジ挿通穴に挿通させて基体部１０の左側板部にネジ固定することにより、サブ側ブラケット部材３００が基体部１０の左側板部の上側内面に固定される。
【００４４】
ケース受容部３０１の後部には、第４本体側溶着部１６３および第４蓋側溶着部２１３並びに、ケース側溶着部１６７およびカバー側溶着部２６５が挿入されるケース挿入部３０５が形成される。ケース受容部３０１の前下部には、連結部材２７１を介して副基板ケース１２０と連結されるケース連結部３０６が形成される。ケース連結部３０６は、連結部材２７１のブラケット側連結部２７４が挿通可能な係合穴３０６ａを有するボス状に形成される。ケース連結部３０６は、副制御装置１００がサブ側ブラケット部材３００に取り付けられる際、副基板ケース蓋１７１の蓋側連結部材収容部１８９の内側に入り込んで（図７（ａ）を参照）、蓋側連結部材収容部１８９に収容された連結部材２７１のブラケット側連結部２７４と係合するようになっている。ケース受容部３０１の前上部には、副基板ケース１２０の本体側係止部１４８および蓋側係止部１９９に係止可能な爪状のケース係止部３０７が形成される。
【００４５】
連結部材２７１は、図１５に示すように、弾性変形可能な樹脂材料を用いて板状に形成され、ベース部２７２と、ケース側連結部２７３と、ブラケット側連結部２７４とを有して構成される。ベース部２７２は、断面視「エ」の字形の板状に形成され、副基板ケース蓋１７１の蓋側連結部材収容部１８９に収容されて蓋側連結部材収容部１８９の係合突起１８９ａ（図９を参照）と係合可能に構成される。ケース側連結部２７３は、ベース部２７２の一端側に繋がる爪状に形成され、副基板ケース本体１２１の本体側連結部材収容部
１３８の内側に挿入可能に構成される。ブラケット側連結部２７４は、サブ側ブラケット部材３００のケース連結部３０６の係合穴３０６ａよりも外形が大きくなるように配置された複数の板状体から構成され、ベース部２７２の側部に形成される。ブラケット側連結部２７４は、ベース部２７２とともに副基板ケース蓋１７１の蓋側連結部材収容部１８９に収容される。これにより、サブ側ブラケット部材３００のケース連結部３０６が蓋側連結部材収容部１８９の内側に入り込むと、ブラケット側連結部２７４は、弾性変形しつつケース連結部３０６の係合穴３０６ａに挿通され、ケース連結部３０６の内側に達すると元の形状に戻ることで、ケース連結部３０６と係合するようになっている。
【００４６】
以上のように構成される副制御装置１００において、副基板ケース１２０の副基板ケース本体１２１と副基板ケース蓋１７１とを結合させる手順について説明する。まず、副基板ケース蓋１７１の内側に、副基板側光コネクタ１１４に光通信ケーブル９００のケーブル側コネクタ９２０が嵌合し、パラレル通信用コネクタ１１５にパラレル通信用ケーブル（図示せず）のケーブル側コネクタ（図示せず）が嵌合した状態のサブメイン基板１１０、およびシールドプレート２５１を重ねるように取り付けて固定する。またこのとき、副基板ケース蓋１７１の蓋側連結部材収容部１８９に連結部材２７１を収容し、蓋側連結部材収容部１８９の係合突起１８９と連結部材２７１のベース部２７２とを係合させる。
【００４７】
次に、図１２および図１３に示すように、副基板ケース蓋１７１を着脱可能位置で副基板ケース本体１２１に重ねる。次に、副基板ケース蓋１７１を副基板ケース本体１２１に対して着脱可能位置から結合位置へ前方にスライド移動（相対移動）させる。これにより、第１本体側スライド係合部１３７と第１蓋側スライド係合部１８４とが係合するとともに、第２本体側スライド係合部１４７と第２蓋側スライド係合部１９４とが係合した状態で、副基板ケース本体１２１と副基板ケース蓋１７１とが結合される。またこのとき、連結部材２７１のケース側連結部２７３が副基板ケース本体１２１の本体側連結部材収容部１３８の内側に挿入されて収容される。
【００４８】
次に、副基板ケース蓋１７１の第１ケース溶着用注入部１８７に、外部側から溶剤を注入する。第１ケース溶着用注入部１８７に注入された溶剤は、副基板ケース蓋１７１の第１蓋側溶着部１８５と副基板ケース本体１２１の第１本体側溶着部１３３との間に流入し、第１ケース溶着用溝部１３５を介して第１蓋側溶着部１８５の第１蓋側溶着面１８６と第１本体側溶着部１３３の第１本体側溶着面１３４との間に広がる。これにより、第１蓋側溶着面１８６と第１本体側溶着面１３４とがそれぞれ溶剤によって一時的に溶解し、溶剤が蒸発することにより第１蓋側溶着面１８６と第１本体側溶着面１３４とがそれぞれ固化して互いに溶着される。
【００４９】
また、副基板ケース蓋１７１の第２ケース溶着用注入部１９７に、外部側から溶剤を注入する。第２ケース溶着用注入部１９７に注入された溶剤は、副基板ケース蓋１７１の第２蓋側溶着部１９５と副基板ケース本体１２１の第２本体側溶着部１４３との間に流入し、第２ケース溶着用溝部１４５を介して第２蓋側溶着部１９５の第２蓋側溶着面１９６と第２本体側溶着部１４３の第２本体側溶着面１４４との間に広がる。これにより、第２蓋側溶着面１９６と第２本体側溶着面１４４とがそれぞれ溶剤によって一時的に溶解し、溶剤が蒸発することにより第２蓋側溶着面１９６と第２本体側溶着面１４４とがそれぞれ固化して互いに溶着される。
【００５０】
また、互いに当接した第３蓋側溶着部２０３の第３蓋側溶着面２０６と第３本体側溶着部１５３の第３本体側溶着面１５６との間（露出する第３ケース溶着用注入部）に、外部側から溶剤を注入する。注入された溶剤は、第３蓋側溶着部２０３の第３蓋側溶着面２０６と第３本体側溶着部１５３の第３本体側溶着面１５６との間に広がる。これにより、第３蓋側溶着面２０６と第３本体側溶着面１５６とがそれぞれ溶剤によって一時的に溶解し
、溶剤が蒸発することにより第３蓋側溶着面２０６と第３本体側溶着面１５６とがそれぞれ固化して互いに溶着される。
【００５１】
また、副基板ケース蓋１７１の第４ケース溶着用注入部２１５に、外部側から溶剤を注入する。第４ケース溶着用注入部２１５に注入された溶剤は、副基板ケース蓋１７１の第４蓋側溶着部２１３と副基板ケース本体１２１の第４本体側溶着部１６３との間に流入し、第４ケース溶着用溝部１６５を介して第４蓋側溶着部２１３の第４蓋側溶着面２１４と第４本体側溶着部１６３の第４本体側溶着面１６４との間に広がる。これにより、第４蓋側溶着面２１４と第４本体側溶着面１６４とがそれぞれ溶剤によって一時的に溶解し、溶剤が蒸発することにより第４蓋側溶着面２１４と第４本体側溶着面１６４とがそれぞれ固化して互いに溶着される。
【００５２】
次に、コネクタカバー２６１を副基板ケース本体１２１のケース側溶着部１６７に取り付けて、コネクタカバー２６１のカバー溶着用注入部２６７に、外部側から溶剤を注入する。カバー溶着用注入部２６７に注入された溶剤は、コネクタカバー２６１のカバー側溶着部２６５と副基板ケース本体１２１のケース側溶着部１６７との間に流入し、カバー溶着用溝部１６９を介してカバー側溶着部２６５のカバー側溶着面２６６とケース側溶着部１６７のケース側溶着面１６８との間に広がる。これにより、カバー側溶着面２６６とケース側溶着面１６８とがそれぞれ溶剤によって一時的に溶解し、溶剤が蒸発することによりカバー側溶着面２６６とケース側溶着面１６８とがそれぞれ固化して互いに溶着される。
【００５３】
そして、不図示のレーザー加工機を用いて、第３本体側溶着部１５３の本体側曲面部１５４と第３蓋側溶着部２０３の蓋側曲面部２０４とに跨って、第１の識別マーク２２１および第２の識別マーク２２２を形成する。このようにして、副基板ケース１２０の副基板ケース本体１２１と副基板ケース蓋１７１とが、互いに溶着されて結合される。また、コネクタカバー２６１が、サブメイン基板１１０における副基板側光コネクタ１１４およびパラレル通信用コネクタ１１５の後方近傍を覆って副基板ケース本体１２１のケース側溶着部１６７に溶着される。これにより、溶着部分を破壊しなければ副基板ケース１２０を開放することができないため、副基板ケース１２０の不正な開放を防止することができる。また、第１の識別マーク２２１および第２の識別マーク２２２をチェックすることによって、副基板ケース１２０の不正な開放、交換等を早期に発見することができる。
【００５４】
副基板ケース本体１２１と副基板ケース蓋１７１が結合した副基板ケース１２０、すなわち副制御装置１００は、サブ側ブラケット部材３００に取り付けられる。副制御装置１００をサブ側ブラケット部材３００に取り付けるには、第４本体側溶着部１６３および第４蓋側溶着部２１３並びに、ケース側溶着部１６７およびカバー側溶着部２６５を、サブ側ブラケット部材３００のケース挿入部３０５に挿入し、副基板ケース１２０をサブ側ブラケット部材３００のケース受容部３０１に受容させる。このとき、サブ側ブラケット部材３００のケース連結部３０６は、副基板ケース蓋１７１の蓋側連結部材収容部１８９の内側に入り込んで、蓋側連結部材収容部１８９に収容された連結部材２７１のブラケット側連結部２７４と係合する。またこのとき、サブ側ブラケット部材３００のケース係止部３０７は、副基板ケース１２０の本体側係止部１４８および蓋側係止部１９９に係止する。
【００５５】
このようにして、副制御装置１００は、連結部材２７１を介してサブ側ブラケット部材３００のケース連結部３０６に連結された状態で、サブ側ブラケット部材３００に取り付け固定される。これにより、副制御装置１００がサブ側ブラケット部材３００から不正に取り外されるのを防止することができる。また、ケース挿入部３０５において、副制御装置１００の後側の左右方向の移動が規制されるため、副制御装置１００がサブ側ブラケッ
ト部材３００から不正に取り外されるのを防止することができる。
【００５６】
［第１実施形態における特徴構成］
［副制御装置の第１の特徴構成］
第１実施形態において、副基板ケース蓋１７１の第１蓋側溶着部１８５に、外部側から副基板ケース蓋１７１の第１蓋側溶着部１８５と副基板ケース本体１２１の第１本体側溶着部１３３との間に溶剤が注入される第１ケース溶着用注入部１８７が形成されている。また、副基板ケース蓋１７１の第２蓋側溶着部１９５に、外部側から副基板ケース蓋１７１の第２蓋側溶着部１９５と副基板ケース本体１２１の第２本体側溶着部１４３との間に溶剤が注入される第２ケース溶着用注入部１９７が形成されている。また、副基板ケース蓋１７１の第４蓋側溶着部２１３に、外部側から副基板ケース蓋１７１の第４蓋側溶着部２１３と副基板ケース本体１２１の第４本体側溶着部１６３との間に溶剤が注入される第４ケース溶着用注入部２１５が形成されている。これにより、副基板ケース本体１２１と副基板ケース蓋１７１とを容易に溶着して結合することができる。そして、溶着部分を破壊しなければ副基板ケース１２０を開放することができないため、副基板ケース１２０の不正な開放を防止することができ、不正行為を防止することができる。
【００５７】
なお、第１本体側溶着部１３３の第１本体側溶着面１３４に、第１蓋側溶着部１８５の第１ケース溶着用注入部１８７と繋がる溝状の第１ケース溶着用溝部１３５が形成されている。また、第２本体側溶着部１４３の第２本体側溶着面１４４に、第２蓋側溶着部１９５の第２ケース溶着用注入部１９７と繋がる溝状の第２ケース溶着用溝部１４５が形成されている。また、第４本体側溶着部１６３の第４本体側溶着面１６４に、第４蓋側溶着部２１３の第４ケース溶着用注入部２１５と繋がる溝状の第４ケース溶着用溝部１６５が形成されている。これにより、溶剤が溶着面の全体に広がりやすくなるため、副基板ケース本体１２１と副基板ケース蓋１７１とを確実に溶着して結合することができる。
【００５８】
また、副基板ケース本体１２１は、副基板ケース蓋１７１をスライド移動自在に支持する第１側壁部１３２および第２側壁部１４２を有し、副基板ケース本体１２１における第１側壁部１３２および第２側壁部１４２の縁部に、第１本体側溶着部１３３および第２本体側溶着部１４３が形成され、副基板ケース蓋１７１における第１本体側溶着部１３３および第２本体側溶着部１４３と対向する部分に、第１蓋側溶着部１８５および第２蓋側溶着部１９５が形成され、第１蓋側溶着部１８５および第２蓋側溶着部１９５に第１ケース溶着用注入部１８７および第２ケース溶着用注入部１９７が形成されている。これにより、副基板ケース本体１２１および副基板ケース蓋１７１の可動部分を溶着することができるため、副基板ケース本体１２１と副基板ケース蓋１７１とを強固に溶着して結合することができる。
【００５９】
また、副基板ケース本体１２１は、第１側壁部１３２および第２側壁部１４２の外部側に形成された第１本体側スライド係合部１３７および第２本体側スライド係合部１４７を有し、副基板ケース蓋１７１は、第１蓋側スライド係合部１８４および第２蓋側スライド係合部１９４と、第１蓋側スライド係合部１８４および第２蓋側スライド係合部１９４並びに、第１本体側スライド係合部１３７および第２本体側スライド係合部１４７を覆う第１サイドカバー部１８２および第２サイドカバー部１９２とを有している。これにより、第１本体側溶着部１３３および第２本体側溶着部１４３が第１サイドカバー部１８２および第２サイドカバー部１９２等に遮られるため、第１本体側溶着部１３３および第２本体側溶着部１４３への不正なアクセスを防止することができる。そのため、副基板ケース１２０の不正な開放を防止することができ、不正行為を防止することができる。
【００６０】
また、コネクタカバー２６１は、溶剤を用いて副基板ケース本体１２１のケース側溶着部１６７と溶着可能なカバー側溶着部２６５を有し、カバー側溶着部２６５に、外部側か
らケース側溶着部１６７とカバー側溶着部２６５との間に溶剤が注入されるカバー溶着用注入部２６７が形成されている。これにより、コネクタカバー２６１を副基板ケース本体１２１に容易に溶着することができる。そして、溶着部分を破壊しなければコネクタカバー２６１を取り外すことができないため、副基板ケース１２０の内部への不正なアクセスを防止することができ、不正行為を防止することができる。
【００６１】
また、ケース側溶着部１６７のケース側溶着面１６８に、カバー溶着用注入部２６７と繋がる溝状のカバー溶着用溝部１６９が形成されている。これにより、溶剤が溶着面の全体に広がりやすくなるため、コネクタカバー２６１を副基板ケース本体１２１に確実に溶着することができる。
【００６２】
［副制御装置の第２の特徴構成］
第１実施形態において、副基板ケース本体１２１において略方形に囲む第１側壁部１３２、第２側壁部１４２、第３側壁部１５２、および第４側壁部１６２に、第１本体側溶着部１３３、第２本体側溶着部１４３、第３本体側溶着部１５３、および第４本体側溶着部１６３が形成され、副基板ケース蓋１７１に、第１本体側溶着部１３３、第２本体側溶着部１４３、第３本体側溶着部１５３、および第４本体側溶着部１６３と溶着可能な第１蓋側溶着部１８５、第２蓋側溶着部１９５、第３蓋側溶着部２０３、および第４蓋側溶着部２１３が形成されている。これにより、副基板ケース本体１２１と副基板ケース蓋１７１とを四方に亘り溶着して結合することができる。そして、溶着部分を破壊しなければ副基板ケース１２０を開放することができないため、副基板ケース１２０の不正な開放を防止することができ、不正行為を防止することができる。また、副基板ケース１２０の側方（対向する二方向）から挟み込むような力を作用させて副基板ケース本体１２１および副基板ケース蓋１７１を撓ませたり、副基板ケース本体１２１と副基板ケース蓋１７１との間に工具等を差し込んで広げたりすることで、副基板ケース本体１２１と副基板ケース蓋１７１との間に隙間を設けることも困難になるため、副基板ケース１２０の内部への不正なアクセスを防止することができ、不正行為を防止することができる。
【００６３】
また、互いに対向する第１側壁部１３２および第２側壁部１４２は、副基板ケース蓋１７１をスライド移動自在に支持し、副基板ケース本体１２１における第１側壁部１３２および第２側壁部１４２の縁部に、第１本体側溶着部１３３および第２本体側溶着部１４３が形成され、副基板ケース蓋１７１における第１側壁部１３２および第２側壁部１４２と対向する部分に、第１蓋側溶着部１８５および第２蓋側溶着部１９５が形成されている。これにより、副基板ケース本体１２１および副基板ケース蓋１７１の可動部分を溶着することができるため、副基板ケース本体１２１と副基板ケース蓋１７１とを強固に溶着して結合することができる。
【００６４】
また、副基板ケース本体１２１は、第１側壁部１３２および第２側壁部１４２の外部側に形成された第１本体側スライド係合部１３７および第２本体側スライド係合部１４７を有し、副基板ケース蓋１７１は、第１蓋側スライド係合部１８４および第２蓋側スライド係合部１９４と、第１蓋側スライド係合部１８４および第２蓋側スライド係合部１９４並びに、第１本体側スライド係合部１３７および第２本体側スライド係合部１４７を覆う第１サイドカバー部１８２および第２サイドカバー部１９２とを有している。これにより、第１本体側溶着部１３３および第２本体側溶着部１４３が第１サイドカバー部１８２および第２サイドカバー部１９２等に遮られるため、第１本体側溶着部１３３および第２本体側溶着部１４３への不正なアクセスを防止することができる。そのため、副基板ケース１２０の不正な開放を防止することができ、不正行為を防止することができる。
【００６５】
また、第４側壁部１６２に、コネクタカバー２６１と溶着可能なケース側溶着部１６７が形成され、コネクタカバー２６１に、ケース側溶着部１６７と溶着可能なカバー側溶着
部２６５が形成されている。これにより、コネクタカバー２６１を副基板ケース本体１２１に溶着することができる。そして、溶着部分を破壊しなければコネクタカバー２６１を取り外すことができないため、副基板ケース１２０の内部への不正なアクセスを防止することができ、不正行為を防止することができる。
【００６６】
［副制御装置の第３の特徴構成］
第１実施形態において、第３本体側溶着部１５３および第３蓋側溶着部２０３は、互いに溶着した状態で副基板ケース本体１２１および副基板ケース蓋１７１の側端部に沿って延伸する曲面形状を有して形成され、第３本体側溶着部１５３と第３蓋側溶着部２０３との溶着面（第３本体側溶着面１５６および第３蓋側溶着面２０６）が、曲面形状（本体側曲面部１５４および蓋側曲面部２０４）の延伸方向に対し「く」の字形に屈曲傾斜して延びて形成されている。これにより、第３本体側溶着部１５３および第３蓋側溶着部２０３の形状が複雑になるため、副基板ケース本体１２１および副基板ケース蓋１７１の複製が困難になる。そのため、副基板ケース本体１２１および副基板ケース蓋１７１のうち少なくとも一方を破壊して副基板ケース１２０を不正に開放した後、破壊した部品を複製品と交換して復元する行為が困難になることから、副基板ケース１２０の不正な開放を防止することができ、不正行為を防止することができる。
【００６７】
また、曲面形状（本体側曲面部１５４および蓋側曲面部２０４）は、当該曲面形状の延伸方向と略垂直な方向に沿って曲率が連続的に変化するように形成される。これにより、第３本体側溶着部１５３および第３蓋側溶着部２０３の形状が複雑になるため、副基板ケース本体１２１および副基板ケース蓋１７１の複製が困難になる。そのため、副基板ケース本体１２１および副基板ケース蓋１７１のうち少なくとも一方を破壊して副基板ケース１２０の不正に開放した後、破壊した部品を複製品と交換して復元する行為が困難になることから、副基板ケース１２０の不正な開放を防止することができ、不正行為を防止することができる。
【００６８】
また、副基板ケース蓋１７１は、副基板ケース蓋１７１が副基板ケース本体１２１に対して着脱可能な着脱可能位置と、副基板ケース蓋１７１が開口部１２１ａを覆って副基板ケース本体１２１と結合される結合位置とに、副基板ケース本体１２１に対して曲面形状（本体側曲面部１５４および蓋側曲面部２０４）の延伸方向と略垂直な方向に相対移動可能であり、副基板ケース蓋１７１が結合位置に相対移動した状態で、第３本体側溶着部１５３と第３蓋側溶着部２０３とが溶着可能に構成される。これにより、第３本体側溶着部１５３および第３蓋側溶着部２０３の形状を複雑にしつつ、副基板ケース本体１２１と副基板ケース蓋１７１とを容易に溶着して結合することができる。
【００６９】
［副制御装置の第４の特徴構成］
第１実施形態において、第３本体側溶着部１５３および第３蓋側溶着部２０３は、互いに溶着した状態で副基板ケース本体１２１および副基板ケース蓋１７１の側端部に沿って延伸する曲面形状を有して形成され、第３本体側溶着部１５３と第３蓋側溶着部２０３とに跨って第１の識別マーク２２１および第２の識別マーク２２２が形成されている。これにより、第３本体側溶着部１５３と第３蓋側溶着部２０３とにそれぞれ位置整合するように第１の識別マーク２２１および第２の識別マーク２２２を形成する必要があるため、副基板ケース本体１２１および副基板ケース蓋１７１の複製が困難になる。そのため、副基板ケース本体１２１および副基板ケース蓋１７１のうち少なくとも一方を破壊して副基板ケース１２０を不正に開放した後、破壊した部品を複製品と交換して復元する行為が困難になることから、副基板ケース１２０の不正な開放を防止することができ、不正行為を防止することができる。
【００７０】
また、曲面形状（本体側曲面部１５４および蓋側曲面部２０４）は、当該曲面形状の延
伸方向と略垂直な方向に沿って曲率が連続的に変化するように形成される。これにより、第３本体側溶着部１５３および第３蓋側溶着部２０３の形状が複雑になるため、副基板ケース本体１２１および副基板ケース蓋１７１の複製が困難になる。そのため、副基板ケース本体１２１および副基板ケース蓋１７１のうち少なくとも一方を破壊して副基板ケース１２０の不正に開放した後、破壊した部品を複製品と交換して復元する行為が困難になることから、副基板ケース１２０の不正な開放を防止することができ、不正行為を防止することができる。
【００７１】
また、副基板ケース蓋１７１は、副基板ケース蓋１７１が副基板ケース本体１２１に対して着脱可能な着脱可能位置と、副基板ケース蓋１７１が開口部１２１ａを覆って副基板ケース本体１２１と結合される結合位置とに、副基板ケース本体１２１に対して曲面形状（本体側曲面部１５４および蓋側曲面部２０４）の延伸方向と略垂直な方向に相対移動可能であり、副基板ケース蓋１７１が結合位置に相対移動した状態で、第３本体側溶着部１５３と第３蓋側溶着部２０３とが互いに当接可能に構成される。これにより、第３本体側溶着部１５３および第３蓋側溶着部２０３の形状を複雑にしつつ、副基板ケース本体１２１と副基板ケース蓋１７１とを容易に結合することができる。
【００７２】
また、第３本体側溶着部１５３と第３蓋側溶着部２０３との当接面（第３本体側溶着面１５６および第３蓋側溶着面２０６）が、曲面形状（本体側曲面部１５４および蓋側曲面部２０４）の延伸方向に対し「く」の字形に屈曲傾斜して延びて形成されている。これにより、第３本体側溶着部１５３および第３蓋側溶着部２０３の形状が複雑になるため、副基板ケース本体１２１および副基板ケース蓋１７１の複製が困難になる。そのため、副基板ケース本体１２１および副基板ケース蓋１７１のうち少なくとも一方を破壊して副基板ケース１２０を不正に開放した後、破壊した部品を複製品と交換して復元する行為が困難になることから、副基板ケース１２０の不正な開放を防止することができ、不正行為を防止することができる。
【００７３】
また、副基板ケース本体１２１および副基板ケース蓋１７１は、透明樹脂材料を用いて形成され、第１の識別マーク２２１および第２の識別マーク２２２は、内部マーキングにより第３本体側溶着部１５３と第３蓋側溶着部２０３とに跨って形成される。これにより、第１の識別マーク２２１および第２の識別マーク２２２を、副基板ケース本体１２１および副基板ケース蓋１７１の厚さ方向に略平面からずらして（曲面状に波打つように）形成することで、第３本体側溶着部１５３および第３蓋側溶着部２０３の内部に形成された第１の識別マーク２２１および第２の識別マーク２２２を模倣するのは困難であるため、副基板ケース本体１２１および副基板ケース蓋１７１の複製が困難になる。そのため、副基板ケース本体１２１および副基板ケース蓋１７１のうち少なくとも一方を破壊して副基板ケース１２０を不正に開放した後、破壊した部品を複製品と交換して復元する行為が困難になることから、副基板ケース１２０の不正な開放を防止することができ、不正行為を防止することができる。
【００７４】
また、第３本体側溶着部１５３と第３蓋側溶着部２０３とが、互いに当接した状態で溶着される。これにより、第３本体側溶着部１５３と第３蓋側溶着部２０３との溶着部分を破壊しなければ副基板ケース１２０を開放することができないため、副基板ケース１２０の不正な開放を防止することができ、不正行為を防止することができる。
【００７５】
上述の第１実施形態において、副基板ケース蓋１７１の第４蓋側溶着部２１３に第４ケース溶着用注入部２１５が形成されているが、これに限られるものではなく、副基板ケース本体１２１の第４本体側溶着部１６３に第４ケース溶着用注入部が形成されてもよい。また、コネクタカバー２６１のカバー側溶着部２６５にカバー溶着用注入部２６７が形成されているが、これに限られるものではなく、副基板ケース本体１２１のケース側溶着部
１６７にカバー溶着用注入部が形成されてもよい。
【００７６】
上述の第１実施形態において、第１本体側溶着部１３３の第１本体側溶着面１３４に第１ケース溶着用溝部１３５が形成されているが、これに限られるものではなく、第１蓋側溶着部１８５の第１蓋側溶着面１８６に第１ケース溶着用溝部が形成されてもよい。また、第２本体側溶着部１４３の第２本体側溶着面１４４に第２ケース溶着用溝部１４５が形成されているが、これに限られるものではなく、第２蓋側溶着部１９５の第２蓋側溶着面１９６に第２ケース溶着用溝部が形成されてもよい。また、第４本体側溶着部１６３の第４本体側溶着面１６４に第４ケース溶着用溝部１６５が形成されているが、これに限られるものではなく、第４蓋側溶着部２１３の第４蓋側溶着面２１４に第４ケース溶着用溝部が形成されてもよい。また、ケース側溶着部１６７のケース側溶着面１６８にカバー溶着用溝部１６９が形成されているが、これに限られるものではなく、カバー側溶着部５６５のカバー側溶着面５６６にカバー溶着用溝部が形成されてもよい。
【００７７】
上述の第１実施形態において、第１ケース溶着用溝部１３５、第２ケース溶着用溝部１４５、第４ケース溶着用溝部１６５、およびカバー溶着用溝部１６９が、串状に延びて形成されているが、これに限られるものではなく、例えば、格子状、葉脈状、放射状、波線状、直線状等に延びて形成されてもよく、ケース溶着用注入部に注入された溶剤を溶着面の間に行き渡らせることができるように形成されていればよい。
【００７８】
上述の第１実施形態において、第１ケース溶着用溝部１３５、第２ケース溶着用溝部１４５、および第４ケース溶着用溝部１６５が形成されているが、これに限られるものではなく、これらが形成されていなくてもよい。この場合例えば、第１本体側溶着面１３４および第１蓋側溶着面１８６が、第１ケース溶着用注入部１８７に注入された溶剤を第１本体側溶着面１３４と第１蓋側溶着面１８６との間に行き渡らせることが可能な（例えば、断面視山形状の）曲面状に形成されてもよい。また例えば、第２本体側溶着面１４４および第２蓋側溶着面１９６が、第２ケース溶着用注入部１９７に注入された溶剤を第２本体側溶着面１４４と第２蓋側溶着面１９６との間に行き渡らせることが可能な（例えば、断面視山形状の）曲面状に形成されてもよい。また例えば、第４本体側溶着面１６４および第４蓋側溶着面２１４が、第４ケース溶着用注入部２１５に注入された溶剤を第４本体側溶着面１６４と第４蓋側溶着面２１４との間に行き渡らせることが可能な（例えば、山形状の）曲面状に形成されてもよい。このようにしても、溶剤が溶着面の全体に広がりやすくなるため、副基板ケース本体１２１と副基板ケース蓋１７１とを確実に溶着して結合することができる。
【００７９】
上述の第１実施形態において、カバー溶着用溝部１６９が形成されているが、これに限られるものではなく、カバー溶着用溝部１６９が形成されていなくてもよい。この場合例えば、ケース側溶着面１６８およびカバー側溶着面２６６が、カバー溶着用注入部２６７に注入された溶剤をケース側溶着面１６８とカバー側溶着面２６６との間に行き渡らせることが可能な（例えば、山形状の）曲面状に形成されてもよい。このようにしても、溶剤が溶着面の全体に広がりやすくなるため、コネクタカバー２６１を副基板ケース本体１２１に確実に溶着することができる。
【００８０】
上述の第１実施形態において、第３本体側溶着部１５３と第３蓋側溶着部２０３とに跨って第１の識別マーク２２１および第２の識別マーク２２２が形成されているが、これに限られるものではなく、単数もしくは複数のマークが形成される構成であってもよい。
【００８１】
上述の第１実施形態において、第１の識別マーク２２１および第２の識別マーク２２２は、内部マーキングにより第３本体側溶着部１５３と第３蓋側溶着部２０３とに跨って形成されているが、これに限られるものではなく、レーザー加工機等を用いて第３本体側溶
着部１５３および第３蓋側溶着部２０３の表面にマーキング処理が施されて形成されるようにしてもよい。
【００８２】
上述の第１実施形態において、揮発性を有する溶剤を用いて溶着が行われているが、これに限られるものではなく、例えば、紫外線硬化型の接着剤による接着や、超音波溶着、熱溶着等による溶着が行われるようにしてもよい。
【００８３】
上述の第１実施形態において、ケース側溶着部１６７とカバー側溶着部２６５とが、副基板ケース本体１２１の各本体側溶着部と副基板ケース蓋１７１の各蓋側溶着部との溶着と同様に、溶剤を用いて溶着されるように構成されているが、これに限られるものではない。例えば、ケース側溶着部１６７とカバー側溶着部２６５とが、超音波溶着や、熱溶着等により溶着されるようにしてもよく、ケース側溶着部１６７とカバー側溶着部２６５との溶着態様が、各本体側溶着部と各蓋側溶着部との溶着態様と異なるようにしてもよい。これにより、コネクタカバー２６１および副基板ケース本体１２１のうち少なくとも一方を破壊して副基板ケース１２０を不正に開放した後、破壊した部品を複製品と交換して復元する行為が困難になることから、副基板ケース１２０の不正な開放を防止することができ、不正行為を防止することができる。
【００８４】
［副制御装置の第２実施形態］
次に、第２実施形態に係る副制御装置４００について図１６〜図２２を参照して説明する。第２実施形態に係る副制御装置４００は、図２１および図２２に示すように、サブメイン基板１１０と、サブメイン基板１１０を収容する副基板ケース４２０とを主体に構成された基板ケースユニットである。副制御装置４００は、基体部１０の左側板部の上側内面に固設されたサブ側ブラケット部材（図示せず）に取り付けられる。以降、基体部１０に対する副制御装置４００の取り付け方向を基準に、図１６（ａ）の各矢印で示す方向をそれぞれ、上下方向、前後方向、左右方向として説明する。第２実施形態のサブメイン基板１１０は、第１実施形態のサブメイン基板１１０と同様の構成であり、第１実施形態と同一の符号を付して、詳細な説明を省略する。
【００８５】
副基板ケース４２０は、図１６および図１７に示すように、副基板ケース本体４２１と、副基板ケース蓋４７１と、コネクタカバー５６１とを有し、副基板ケース本体４２１と副基板ケース蓋４７１とが結合されて形成されるケース内部に、サブメイン基板１１０およびシールドプレート２５１を収容可能に構成される。副基板ケース本体４２１は、図２１および図２２に示すように、透明樹脂材料を用いて右方に開口部４２１ａを有する略方形の箱状に形成される。すなわち、副基板ケース本体４２１の左方に、副基板ケース本体４２１の底部４２２が配置される。また、略方形の開口部４２１ａを囲んで、副基板ケース本体４２１の下方に第１側壁部４３２が配置され、副基板ケース本体４２１の上方に第２側壁部４４２が配置され、副基板ケース本体４２１の前方に第３側壁部４５２が配置され、副基板ケース本体４２１の後方に第４側壁部４６２が配置される。副基板ケース本体４２１の底部４２２には、ケース内部に収容されたサブメイン基板１１０を支持する支持リブ４２３が複数形成される。
【００８６】
副基板ケース本体４２１の第１側壁部４３２は、副基板ケース蓋４７１の第１スライドカバー部４８３と摺接可能に構成され、副基板ケース蓋４７１が副基板ケース本体４２１に対して着脱可能な着脱可能位置と、副基板ケース蓋４７１が開口部４２１ａを覆って副基板ケース本体４２１と結合される結合位置とに、副基板ケース蓋４７１を前後方向にスライド移動自在に支持する。第１側壁部４３２の縁部には、溶剤を用いて副基板ケース蓋４７１の第１蓋側溶着部４８５と溶着可能な第１本体側溶着部４３３が形成される。第１本体側溶着部４３３には、第１蓋側溶着部４８５の第１蓋側溶着面４８６と対向して溶着可能な平面状の第１本体側溶着面４３４が形成される。第１側壁部４３２の外側面には、
底部４２２と一体化するように外方に突出する第１フランジ部４３６が形成される。第１フランジ部４３６には、副基板ケース蓋４７１の第１蓋側スライド係合部４８４と係合可能な鉤爪状の第１本体側スライド係合部４３７が複数並んで形成される。
【００８７】
副基板ケース本体４２１の第２側壁部４４２は、第１側壁部４３２と対向して配置されて副基板ケース蓋４７１の第２スライドカバー部４９３と摺接可能に構成され、第１側壁部４３２とともに、前述の着脱可能位置と結合位置とに副基板ケース蓋４７１をスライド移動自在に支持する。第２側壁部４４２の縁部には、溶剤を用いて副基板ケース蓋４７１の第２蓋側溶着部４９５と溶着可能な第２本体側溶着部４４３が形成される。第２本体側溶着部４４３には、第２蓋側溶着部４９５の第２蓋側溶着面４９６と対向して溶着可能な平面状の第２本体側溶着面４４４が形成される。第２側壁部４４２の外側面には、底部４２２と一体化するように外方に突出する第２フランジ部４４６が形成される。第２フランジ部４４６には、副基板ケース蓋４７１の第２蓋側スライド係合部（図示せず）と係合可能な鉤爪状の第２本体側スライド係合部４４７が複数並んで形成される。
【００８８】
第３側壁部４５２の下側には、溶剤を用いて副基板ケース蓋４７１の第３蓋側溶着部５０３と溶着可能な第３本体側溶着部４５３が前方に張り出して形成される。第３本体側溶着部４５３は、第３側壁部４５２の延伸方向に沿って上下方向に延びる曲面形状の本体側曲面部４５４を有し、この本体側曲面部４５４の縁部に段付き面となる第３本体側溶着面４５６が形成されている。第３本体側溶着面４５６は、本体側曲面部４５４の延伸方向に対し直線的に傾斜して延びて形成され、第３蓋側溶着部５０３の第３蓋側溶着面５０６と当接して溶着可能に構成される。
【００８９】
第４側壁部４６２の下側には、溶剤を用いて副基板ケース蓋４７１の第４蓋側溶着部５１３と溶着可能な第４本体側溶着部４６３が後方に突出して形成される。第４本体側溶着部４６３は、第４側壁部４６２の外側面に沿って上下方向に延びる平板状に形成される。第４本体側溶着部４６３には、第４蓋側溶着部５１３の第４蓋側溶着面５１４と対向して溶着可能な平面状の第４本体側溶着面４６４が形成される。また、第４本体側溶着部４６３の上下の側端部には、第４本体側溶着面４６４（および第４蓋側溶着面５１４）の上方および下方を囲む本体側ガードリブ４６６が形成される。
【００９０】
第４側壁部４６２の上側には、溶剤を用いてコネクタカバー５６１のカバー側溶着部５６５と溶着可能なケース側溶着部４６７が後方に突出して形成される。ケース側溶着部４６７は、第４側壁部４６２の外側面に沿って上下方向に延びる平板状に形成される。ケース側溶着部４６７には、カバー側溶着部５６５のカバー側溶着面５６６と対向して溶着可能な平面状のケース側溶着面４６８が形成される。また、ケース側溶着部４６７の上下の側端部には、ケース側溶着面４６８（およびカバー側溶着面５６６）の上方および下方を囲むケース側ガードリブ４７０が形成される。
【００９１】
副基板ケース蓋４７１は、透明樹脂材料を用いて左方が開口した略方形の蓋状に形成される。すなわち、副基板ケース蓋４７１の右方に、副基板ケース蓋４７１の天井部４７２が配置される。天井部４７２の四隅には、ネジ穴を有する基板取付けボス４７３が形成される。プリント基板１１１の実装面１１１ａと反対側の面にシールドプレート２５１を重ねた状態で、基板固定ネジ２５９をシールドプレート２５１のネジ挿通穴２５２およびプリント基板１１１のネジ挿通穴１１２に挿通させて基板取付けボス４７３にネジ固定することにより、サブメイン基板１１０およびシールドプレート２５１が副基板ケース蓋４７１の内側に固定される。これにより、サブメイン基板１１０のプログラムＲＯＭ１１３（ＲＯＭカバー１０５）、副基板側光コネクタ１１４、パラレル通信用コネクタ１１５等は、副基板ケース蓋４７１に覆われた状態となり、サブメイン基板１１０の保護カバー１０７等は、シールドプレート２５１に覆われた状態となる。
【００９２】
図１８（ａ）にも示すように、天井部４７２の上部後側には、副基板側光コネクタ１１４の一部（受光素子１１４ｓの近傍）を囲む囲い部４７４が形成される。囲い部４７４には、副基板側光コネクタ１１４の穴の一部を覆って副基板側光コネクタ１１４からケーブル側コネクタ９２０が抜けるのを防止する抜け止め部４７５等が形成されている。また、天井部４７２の上部後側には、サブメイン基板１１０における副基板側光コネクタ１１４およびパラレル通信用コネクタ１１５の後方近傍を露出させる基板露出部４７６が、後述する第４サイドカバー部５１２の一部を切り欠くように形成される。天井部４７２の前部および下部には、サブメイン基板１１０の複数の電気コネクタ１１６，１１６，…を露出させるコネクタ露出部４７７が形成される。天井部４７２の下部後側には、光通信ケーブル９００の他方のケーブル側コネクタ（図示せず）等を仮止めすることが可能な仮止め部４７８が凹設される。
【００９３】
副基板ケース蓋４７１の下方側部には、副基板ケース本体４２１の第１側壁部４３２の外部側を覆う第１サイドカバー部４８２が形成される。第１サイドカバー部４８２は、前後方向に延びる壁状に形成され、副基板ケース本体４２１の第１本体側スライド係合部４３７を覆うようになっている。第１サイドカバー部４８２の内側には、第１スライドカバー部４８３が第１サイドカバー部４８２と略平行に延びて形成される。第１スライドカバー部４８３は、断面視門型に前後方向に延びて形成され、副基板ケース本体４２１の第１側壁部４３２と摺接可能に構成される。第１サイドカバー部４８２と第１スライドカバー部４８３との間には、副基板ケース本体４２１の第１本体側スライド係合部４３７と係合可能な突起状の第１蓋側スライド係合部４８４（図１９（ａ）を参照）が形成される。副基板ケース蓋４７１を副基板ケース本体４２１に重ねた状態で、副基板ケース蓋４７１を副基板ケース本体４２１に対して着脱可能位置から結合位置へ前方にスライド移動させることにより、第１本体側スライド係合部４３７と第１蓋側スライド係合部４８４とが係合可能に構成される。
【００９４】
第１スライドカバー部４８３の天井部には、溶剤を用いて副基板ケース本体４２１（第１側壁部４３２）の第１本体側溶着部４３３と溶着可能な第１蓋側溶着部４８５が形成される。第１蓋側溶着部４８５には、第１本体側溶着部４３３の第１本体側溶着面４３４と対向して溶着可能な平面状の第１蓋側溶着面４８６が形成される。また、第１蓋側溶着部４８５には、外部側から第１蓋側溶着部４８５の第１蓋側溶着面４８６と第１本体側溶着部４３３の第１本体側溶着面４３４との間に溶剤が注入される穴状の第１ケース溶着用注入部４８７が形成される。第１ケース溶着用注入部４８７に注入される溶剤として、例えば、ジクロロメタン等が用いられる。第１蓋側溶着面４８６には、第１ケース溶着用注入部４８７と繋がる溝状の第１ケース溶着用溝部４８８（図２２の破線を参照）が形成される。第１ケース溶着用溝部４８８は、第１蓋側溶着面４８６（第１スライドカバー部４８３）の延伸方向に沿って直線状に延びて形成されている。
【００９５】
副基板ケース蓋４７１の上方側部には、副基板ケース本体４２１の第２側壁部４４２の外部側を覆う第２サイドカバー部４９２が形成される。第２サイドカバー部４９２は、前後方向に延びる壁状に形成され、副基板ケース本体４２１の第２本体側スライド係合部４４７を覆うようになっている。第２サイドカバー部４９２の内側には、第２スライドカバー部４９３が第２サイドカバー部４９２と略平行に延びて形成される。第２スライドカバー部４９３は、断面視門型に前後方向に延びて形成され、副基板ケース本体４２１の第２側壁部４４２と摺接可能に構成される。第２サイドカバー部４９２と第２スライドカバー部４９３との間には、副基板ケース本体４２１の第２本体側スライド係合部４４７と係合可能な突起状の第２蓋側スライド係合部４９４（図１９（ｂ）を参照）が形成される。副基板ケース蓋４７１を副基板ケース本体４２１に重ねた状態で、副基板ケース蓋４７１を副基板ケース本体４２１に対して着脱可能位置から結合位置へ前方にスライド移動させる
ことにより、第２本体側スライド係合部４４７と第２蓋側スライド係合部４９４とが係合可能に構成される。
【００９６】
第２スライドカバー部４９３の天井部には、溶剤を用いて副基板ケース本体４２１（第２側壁部４４２）の第２本体側溶着部４４３と溶着可能な第２蓋側溶着部４９５が形成される。第２蓋側溶着部４９５には、第２本体側溶着部４４３の第２本体側溶着面４４４と対向して溶着可能な平面状の第２蓋側溶着面４９６が形成される。また、第２蓋側溶着部４９５には、外部側から第２蓋側溶着部４９５の第２蓋側溶着面４９６と第２本体側溶着部４４３の第２本体側溶着面４４４との間に溶剤が注入される穴状の第２ケース溶着用注入部４９７が形成される。第２ケース溶着用注入部４９７に注入される溶剤として、例えば、ジクロロメタン等が用いられる。第２蓋側溶着面４９６には、第２ケース溶着用注入部４９７と繋がる溝状の第２ケース溶着用溝部４９８（図２２の破線を参照）が形成される。第２ケース溶着用溝部４９８は、第２蓋側溶着面４９６（第２スライドカバー部４９３）の延伸方向に沿って直線状に延びて形成されている。
【００９７】
副基板ケース蓋４７１の前方側部には、副基板ケース本体４２１の第３側壁部４５２の内部側を覆う第３サイドカバー部５０２が形成される。第３サイドカバー部５０２は、上下方向に延びる壁状に形成され、副基板ケース本体４２１の第３側壁部４５２の内側面に重なるようになっている。第３サイドカバー部５０２の下側には、溶剤を用いて副基板ケース本体４２１の第３本体側溶着部４５３と溶着可能な第３蓋側溶着部５０３が前方に張り出して形成される。第３蓋側溶着部５０３は、第３サイドカバー部５０２の延伸方向に沿って上下方向に延びる曲面形状の蓋側曲面部５０４を有し、この蓋側曲面部２０４の縁部に段付き面となる第３蓋側溶着面５０６が形成されている。第３蓋側溶着面５０６は、蓋側曲面部５０４の延伸方向に対し直線的に傾斜して延びて形成され、第３本体側溶着部４５３の第３本体側溶着面４５６と当接して溶着可能に構成される。蓋側曲面部２０４における第３蓋側溶着面５０６と接する部分には、外部側から第３蓋側溶着面５０６と第３本体側溶着面４５６との間に溶剤が注入される溝状の第３ケース溶着用注入部５０７が形成される。第３ケース溶着用注入部５０７に注入される溶剤として、例えば、ジクロロメタン等が用いられる。
【００９８】
第３本体側溶着部４５３と第３蓋側溶着部５０３とが溶着した状態で、第３本体側溶着部４５３の本体側曲面部４５４と第３蓋側溶着部５０３の蓋側曲面部５０４とが一体化して、断面視弧状に一様に湾曲して上下方向に延びるように形成される。一体化した本体側曲面部４５４および蓋側曲面部５０４の曲面形状（断面形状）は、図１８（ｂ）に示すように、当該曲面形状の延伸方向と略垂直な前方に向かうにつれて曲率が連続的に増加するように形成される。これにより、本体側曲面部４５４および蓋側曲面部５０４の曲面形状は、副基板ケース本体４２１の第３側壁部４５２および副基板ケース蓋４７１の第３サイドカバー部５０２に近づく後側において比較的平面に近い形状となり、第３側壁部４５２および第３サイドカバー部５０２から離れる前側において比較的大きく湾曲した形状となる。
【００９９】
図１６および図１７に示すように、第３本体側溶着部４５３と第３蓋側溶着部５０３とが溶着した状態で、本体側曲面部４５４と蓋側曲面部５０４とに跨って、識別マーク５２１が形成されるようになっている。識別マーク５２１は、例えば所定の図形の形状（認証マーク、コーポレートマーク、２次元コード等）を有し、本体側曲面部４５４および蓋側曲面部５０４の中央部に形成される。なお、説明容易化のため、図１６等に識別マーク５２１として三角形のマークが記載されているが、これに限られるものではない。識別マーク５２１は、ＹＶＯ４レーザーを利用したレーザー加工機を用いて、本体側曲面部４５４および蓋側曲面部５０４に対し内部マーキングが施されて形成されるようになっている。
【０１００】
なお、内部マーキングを行うため、副基板ケース本体４２１および副基板ケース蓋４７１の透明樹脂材料として、例えば、ＡＢＳ樹脂にレーザー光に反応しやすい所定の添加剤を加えた樹脂材料が用いられる。また、内部マーキングを行うため、第３本体側溶着部４５３と第３蓋側溶着部５０３は、副基板ケース本体４２１および副基板ケース蓋４７１における他の部分よりもケース厚さが厚くなるように形成されている。
【０１０１】
図２０〜図２２に示すように、副基板ケース蓋４７１の後方側部には、副基板ケース本体４２１の第４側壁部４６２の外部側を覆う第４サイドカバー部５１２が形成される。第４サイドカバー部５１２は、上下方向に延びる壁状に形成され、副基板ケース本体４２１の第４側壁部４６２の外側面に重なるようになっている。第４サイドカバー部５１２の下側には、溶剤を用いて副基板ケース本体４２１の第４本体側溶着部４６３と溶着可能な第４蓋側溶着部５１３が後方に突出して形成される。第４蓋側溶着部５１３は、第４サイドカバー部５１２の外側面に沿って上下方向に延びる平板状に形成される。第４蓋側溶着部５１３には、第４本体側溶着部４６３の第４本体側溶着面４６４と対向して溶着可能な平面状の第４蓋側溶着面５１４が形成される。
【０１０２】
また、第４蓋側溶着部５１３には、外部側から第４蓋側溶着部５１３の第４蓋側溶着面５１４と第４本体側溶着部４６３の第４本体側溶着面４６４との間に溶剤が注入される穴状の第４ケース溶着用注入部５１５が形成される。第４ケース溶着用注入部５１５に注入される溶剤として、例えば、ジクロロメタン等が用いられる。また、第４蓋側溶着部５１３の後端部には、第４蓋側溶着面５１４（および第４本体側溶着面４６４）の後方を囲む蓋側ガードリブ５１７が形成される。第４蓋側溶着面５１４には、第４ケース溶着用注入部５１５と繋がる溝状の第４ケース溶着用溝部５１６（図２２の破線を参照）が形成される。第４ケース溶着用溝部５１６は、第４蓋側溶着面５１４（第４サイドカバー部５１２）に沿って十字形に直線状に延びて形成されている。
【０１０３】
コネクタカバー５６１は、図１８（ａ）および図２２に示すように、透明樹脂材料を用いて蓋状に形成され、副基板ケース蓋４７１の基板露出部４７６において露出した、サブメイン基板１１０における副基板側光コネクタ１１４およびパラレル通信用コネクタ１１５の後方近傍を覆って副基板ケース本体４２１のケース側溶着部４６７に溶着される。コネクタカバー５６１の先端部には、副基板ケース蓋４７１の天井部４７２に係止可能な係止片部５６２が形成される。また、コネクタカバー５６１の先端側には、サブメイン基板１１０の副基板側光コネクタ１１４にケーブル側コネクタ９２０が嵌合した状態の光通信ケーブル９００が挿通される第１溝部５６３と、サブメイン基板１１０のパラレル通信用コネクタ１１５にケーブル側コネクタ（図示せず）が嵌合した状態のパラレル通信用ケーブル（図示せず）が挿通される第２溝部５６４とが略平行に並んで形成される。
【０１０４】
コネクタカバー５６１の基端側には、溶剤を用いて副基板ケース本体４２１のケース側溶着部４６７と溶着可能なカバー側溶着部５６５が平板状に形成される。カバー側溶着部５６５には、ケース側溶着部４６７のケース側溶着面４６８と対向して溶着可能な平面状のカバー側溶着面５６６が形成される。また、カバー側溶着部５６５には、外部側からカバー側溶着部５６５のカバー側溶着面５６６とケース側溶着部４６７のケース側溶着面４６８との間に溶剤が注入される穴状のカバー溶着用注入部５６７が形成される。カバー溶着用注入部５６７に注入される溶剤として、例えば、ジクロロメタン等が用いられる。また、カバー側溶着部５６５の後端部には、カバー側溶着面５６６（およびケース側溶着面４６８）の後方を囲むカバー側ガードリブ５６９が形成される。カバー側溶着面５６６には、カバー溶着用注入部５６７と繋がる溝状のカバー溶着用溝部５６８（図２２の破線を参照）が形成される。カバー溶着用溝部５６８は、カバー側溶着面５６６に沿って十字形に直線状に延びて形成されている。
【０１０５】
以上のように構成される副制御装置４００において、副基板ケース４２０の副基板ケース本体４２１と副基板ケース蓋４７１とを結合させる手順について説明する。まず、副基板ケース蓋４７１の内側に、副基板側光コネクタ１１４に光通信ケーブル９００のケーブル側コネクタ９２０が嵌合し、パラレル通信用コネクタ１１５にパラレル通信用ケーブル（図示せず）のケーブル側コネクタ（図示せず）が嵌合した状態のサブメイン基板１１０、およびシールドプレート２５１を重ねるように取り付けて固定する。
【０１０６】
次に、第１実施形態と同様に、副基板ケース蓋４７１を着脱可能位置で副基板ケース本体４２１に重ね、副基板ケース蓋４７１を副基板ケース本体４２１に対して着脱可能位置から結合位置へ前方にスライド移動（相対移動）させる。これにより、第１本体側スライド係合部４３７と第１蓋側スライド係合部４８４とが係合するとともに、第２本体側スライド係合部４４７と第２蓋側スライド係合部４９４とが係合した状態で、副基板ケース本体４２１と副基板ケース蓋４７１とが結合される。
【０１０７】
次に、副基板ケース蓋４７１の第１ケース溶着用注入部４８７に、外部側から溶剤を注入する。第１ケース溶着用注入部４８７に注入された溶剤は、第１実施形態と同様にして、第１蓋側溶着部４８５の第１蓋側溶着面４８６と第１本体側溶着部４３３の第１本体側溶着面４３４との間に広がり、第１蓋側溶着面４８６と第１本体側溶着面４３４とが互いに溶着される。また、副基板ケース蓋４７１の第２ケース溶着用注入部４９７に、外部側から溶剤を注入する。第２ケース溶着用注入部４９７に注入された溶剤は、第１実施形態と同様にして、第２蓋側溶着部４９５の第２蓋側溶着面４９６と第２本体側溶着部４４３の第２本体側溶着面４４４との間に広がり、第２蓋側溶着面４９６と第２本体側溶着面４４４とが互いに溶着される。
【０１０８】
また、副基板ケース蓋４７１の第３ケース溶着用注入部５０７に、外部側から溶剤を注入する。第３ケース溶着用注入部５０７に注入された溶剤は、第３蓋側溶着部５０３の第３蓋側溶着面５０６と第３本体側溶着部４５３の第３本体側溶着面４５６との間に流入して広がる。これにより、第３蓋側溶着面５０６と第３本体側溶着面４５６とがそれぞれ溶剤によって一時的に溶解し、溶剤が蒸発することにより第３蓋側溶着面５０６と第３本体側溶着面４５６とがそれぞれ固化して互いに溶着される。また、副基板ケース蓋４７１の第４ケース溶着用注入部５１５に、外部側から溶剤を注入する。第４ケース溶着用注入部５１５に注入された溶剤は、第１実施形態と同様にして、第４蓋側溶着部５１３の第４蓋側溶着面５１４と第４本体側溶着部４６３の第４本体側溶着面４６４との間に広がり、第４蓋側溶着面５１４と第４本体側溶着面４６４とが互いに溶着される。
【０１０９】
次に、コネクタカバー５６１を副基板ケース本体４２１のケース側溶着部４６７に取り付けて、コネクタカバー５６１のカバー溶着用注入部５６７に、外部側から溶剤を注入する。カバー溶着用注入部５６７に注入された溶剤は、第１実施形態と同様にして、カバー側溶着部５６５のカバー側溶着面５６６とケース側溶着部４６７のケース側溶着面４６８との間に広がり、カバー側溶着面５６６とケース側溶着面４６８とが互いに溶着される。
【０１１０】
そして、不図示のレーザー加工機を用いて、第３本体側溶着部４５３の本体側曲面部４５４と第３蓋側溶着部５０３の蓋側曲面部５０４とに跨って、識別マーク５２１を形成する。このようにして、副基板ケース４２０の副基板ケース本体４２１と副基板ケース蓋４７１とが、互いに溶着されて結合される。また、コネクタカバー５６１が、サブメイン基板１１０における副基板側光コネクタ１１４およびパラレル通信用コネクタ１１５の後方近傍を覆って副基板ケース本体４２１のケース側溶着部４６７に溶着される。これにより、溶着部分を破壊しなければ副基板ケース４２０を開放することができないため、副基板ケース４２０の不正な開放を防止することができる。また、識別マーク５２１をチェックすることによって、副基板ケース４２０の不正な開放、交換等を早期に発見することがで
きる。
【０１１１】
［第２実施形態における特徴構成］
［副制御装置の第１の特徴構成］
第２実施形態において、副基板ケース蓋４７１の第１蓋側溶着部４８５に、外部側から副基板ケース蓋４７１の第１蓋側溶着部４８５と副基板ケース本体４２１の第１本体側溶着部４３３との間に溶剤が注入される第１ケース溶着用注入部４８７が形成されている。また、副基板ケース蓋４７１の第２蓋側溶着部４９５に、外部側から副基板ケース蓋４７１の第２蓋側溶着部４９５と副基板ケース本体４２１の第２本体側溶着部４４３との間に溶剤が注入される第２ケース溶着用注入部４９７が形成されている。また、副基板ケース蓋４７１の第３蓋側溶着部５０３に、外部側から副基板ケース蓋４７１の第３蓋側溶着部５０３と副基板ケース本体４２１の第３本体側溶着部４５３との間に溶剤が注入される第３ケース溶着用注入部５０７が形成されている。また、副基板ケース蓋４７１の第４蓋側溶着部５１３に、外部側から副基板ケース蓋４７１の第４蓋側溶着部５１３と副基板ケース本体４２１の第４本体側溶着部４６３との間に溶剤が注入される第４ケース溶着用注入部５１５が形成されている。これにより、第１実施形態と同様に、溶着部分を破壊しなければ副基板ケース４２０を開放することができないため、副基板ケース４２０の不正な開放を防止することができ、不正行為を防止することができる。
【０１１２】
なお、第１蓋側溶着部４８５の第１蓋側溶着面４８６に、第１蓋側溶着部４８５の第１ケース溶着用注入部４８７と繋がる溝状の第１ケース溶着用溝部４８８が形成されている。また、第２蓋側溶着部４９５の第２蓋側溶着面４９６に、第２蓋側溶着部４９５の第２ケース溶着用注入部４９７と繋がる溝状の第２ケース溶着用溝部４９８が形成されている。また、第４蓋側溶着部５１３の第４蓋側溶着面５１４に、第４蓋側溶着部５１３の第４ケース溶着用注入部５１５と繋がる溝状の第４ケース溶着用溝部５１６が形成されている。これにより、溶剤が溶着面の全体に広がりやすくなるため、副基板ケース本体４２１と副基板ケース蓋４７１とを確実に溶着して結合することができる。
【０１１３】
また、副基板ケース本体４２１は、副基板ケース蓋４７１をスライド移動自在に支持する第１側壁部４３２および第２側壁部４４２を有し、副基板ケース本体４２１における第１側壁部４３２および第２側壁部４４２の縁部に、第１本体側溶着部４３３および第２本体側溶着部４４３が形成され、副基板ケース蓋４７１における第１本体側溶着部４３３および第２本体側溶着部４４３と対向する部分に、第１蓋側溶着部４８５および第２蓋側溶着部４９５が形成され、第１蓋側溶着部４８５および第２蓋側溶着部４９５に第１ケース溶着用注入部４８７および第２ケース溶着用注入部４９７が形成されている。これにより、副基板ケース本体４２１および副基板ケース蓋４７１の可動部分を溶着することができるため、副基板ケース本体４２１と副基板ケース蓋４７１とを強固に溶着して結合することができる。
【０１１４】
また、副基板ケース本体４２１は、第１側壁部４３２および第２側壁部４４２の外部側に形成された第１本体側スライド係合部４３７および第２本体側スライド係合部４４７を有し、副基板ケース蓋４７１は、第１蓋側スライド係合部４８４および第２蓋側スライド係合部４９４と、第１蓋側スライド係合部４８４および第２蓋側スライド係合部４９４並びに、第１本体側スライド係合部４３７および第２本体側スライド係合部４４７を覆う第１サイドカバー部４８２および第２サイドカバー部４９２とを有している。これにより、第１実施形態と同様に、副基板ケース４２０の不正な開放を防止することができ、不正行為を防止することができる。
【０１１５】
また、コネクタカバー５６１は、溶剤を用いて副基板ケース本体４２１のケース側溶着部４６７と溶着可能なカバー側溶着部５６５を有し、カバー側溶着部５６５に、外部側か
らケース側溶着部４６７とカバー側溶着部５６５との間に溶剤が注入されるカバー溶着用注入部５６７が形成されている。これにより、第１実施形態と同様に、溶着部分を破壊しなければコネクタカバー５６１を取り外すことができないため、副基板ケース４２０の内部への不正なアクセスを防止することができ、不正行為を防止することができる。
【０１１６】
また、カバー側溶着部５６５のカバー側溶着面５６６に、カバー溶着用注入部５６７と繋がる溝状のカバー溶着用溝部５６８が形成されている。これにより、溶剤が溶着面の全体に広がりやすくなるため、コネクタカバー５６１を副基板ケース本体４２１に確実に溶着することができる。
【０１１７】
［副制御装置の第２の特徴構成］
第２実施形態において、副基板ケース本体４２１において略方形に囲む第１側壁部４３２、第２側壁部４４２、第３側壁部４５２、および第４側壁部４６２に、第１本体側溶着部４３３、第２本体側溶着部４４３、第３本体側溶着部４５３、および第４本体側溶着部４６３が形成され、副基板ケース蓋４７１に、第１本体側溶着部４３３、第２本体側溶着部４４３、第３本体側溶着部４５３、および第４本体側溶着部４６３と溶着可能な第１蓋側溶着部４８５、第２蓋側溶着部４９５、第３蓋側溶着部５０３、および第４蓋側溶着部５１３が形成されている。これにより、第１実施形態と同様に、溶着部分を破壊しなければ副基板ケース４２０を開放することができないため、副基板ケース４２０の不正な開放を防止することができ、不正行為を防止することができる。また、副基板ケース本体４２１と副基板ケース蓋４７１との間に隙間を設けることも困難になるため、副基板ケース４２０の内部への不正なアクセスを防止することができ、不正行為を防止することができる。
【０１１８】
また、互いに対向する第１側壁部４３２および第２側壁部４４２は、副基板ケース蓋４７１をスライド移動自在に支持し、副基板ケース本体４２１における第１側壁部４３２および第２側壁部４４２の縁部に、第１本体側溶着部４３３および第２本体側溶着部４４３が形成され、副基板ケース蓋４７１における第１側壁部４３２および第２側壁部４４２と対向する部分に、第１蓋側溶着部４８５および第２蓋側溶着部４９５が形成されている。これにより、副基板ケース本体４２１および副基板ケース蓋４７１の可動部分を溶着することができるため、副基板ケース本体４２１と副基板ケース蓋４７１とを強固に溶着して結合することができる。
【０１１９】
また、副基板ケース本体４２１は、第１側壁部４３２および第２側壁部４４２の外部側に形成された第１本体側スライド係合部４３７および第２本体側スライド係合部４４７を有し、副基板ケース蓋４７１は、第１蓋側スライド係合部４８４および第２蓋側スライド係合部４９４と、第１蓋側スライド係合部４８４および第２蓋側スライド係合部４９４並びに、第１本体側スライド係合部４３７および第２本体側スライド係合部４４７を覆う第１サイドカバー部４８２および第２サイドカバー部４９２とを有している。これにより、第１実施形態と同様に、副基板ケース４２０の不正な開放を防止することができ、不正行為を防止することができる。
【０１２０】
また、第４側壁部４６２に、コネクタカバー５６１と溶着可能なケース側溶着部４６７が形成され、コネクタカバー５６１に、ケース側溶着部４６７と溶着可能なカバー側溶着部５６５が形成されている。これにより、第１実施形態と同様に、溶着部分を破壊しなければコネクタカバー５６１を取り外すことができないため、副基板ケース４２０の内部への不正なアクセスを防止することができ、不正行為を防止することができる。
【０１２１】
［副制御装置の第３の特徴構成］
第２実施形態において、第３本体側溶着部４５３および第３蓋側溶着部５０３は、互い
に溶着した状態で副基板ケース本体４２１および副基板ケース蓋４７１の側端部に沿って延伸する曲面形状を有して形成され、第３本体側溶着部４５３と第３蓋側溶着部５０３との溶着面（第３本体側溶着面４５６および第３蓋側溶着面５０６）が、曲面形状（本体側曲面部４５４および蓋側曲面部５０４）の延伸方向に対し直線的に傾斜して延びて形成されている。これにより、第１実施形態と同様に、副基板ケース本体４２１および副基板ケース蓋４７１のうち少なくとも一方を破壊して副基板ケース４２０を不正に開放した後、破壊した部品を複製品と交換して復元する行為が困難になることから、副基板ケース４２０の不正な開放を防止することができ、不正行為を防止することができる。
【０１２２】
また、曲面形状（本体側曲面部４５４および蓋側曲面部５０４）は、当該曲面形状の延伸方向と略垂直な方向に沿って曲率が連続的に変化するように形成される。これにより、第１実施形態と同様に、副基板ケース本体４２１および副基板ケース蓋４７１のうち少なくとも一方を破壊して副基板ケース４２０の不正に開放した後、破壊した部品を複製品と交換して復元する行為が困難になることから、副基板ケース４２０の不正な開放を防止することができ、不正行為を防止することができる。
【０１２３】
また、副基板ケース蓋４７１は、副基板ケース蓋４７１が副基板ケース本体４２１に対して着脱可能な着脱可能位置と、副基板ケース蓋４７１が開口部４２１ａを覆って副基板ケース本体４２１と結合される結合位置とに、副基板ケース本体４２１に対して曲面形状（本体側曲面部４５４および蓋側曲面部５０４）の延伸方向と略垂直な方向に相対移動可能であり、副基板ケース蓋４７１が結合位置に相対移動した状態で、第３本体側溶着部４５３と第３蓋側溶着部５０３とが溶着可能に構成される。これにより、第３本体側溶着部４５３および第３蓋側溶着部５０３の形状を複雑にしつつ、副基板ケース本体４２１と副基板ケース蓋４７１とを容易に溶着して結合することができる。
【０１２４】
［副制御装置の第４の特徴構成］
第２実施形態において、第３本体側溶着部４５３および第３蓋側溶着部５０３は、互いに溶着した状態で副基板ケース本体４２１および副基板ケース蓋４７１の側端部に沿って延伸する曲面形状を有して形成され、第３本体側溶着部４５３と第３蓋側溶着部５０３とに跨って識別マーク５２１が形成されている。これにより、第１実施形態と同様に、副基板ケース本体４２１および副基板ケース蓋４７１のうち少なくとも一方を破壊して副基板ケース４２０を不正に開放した後、破壊した部品を複製品と交換して復元する行為が困難になることから、副基板ケース４２０の不正な開放を防止することができ、不正行為を防止することができる。
【０１２５】
また、曲面形状（本体側曲面部４５４および蓋側曲面部５０４）は、当該曲面形状の延伸方向と略垂直な方向に沿って曲率が連続的に変化するように形成される。これにより、第１実施形態と同様に、副基板ケース本体４２１および副基板ケース蓋４７１のうち少なくとも一方を破壊して副基板ケース４２０の不正に開放した後、破壊した部品を複製品と交換して復元する行為が困難になることから、副基板ケース４２０の不正な開放を防止することができ、不正行為を防止することができる。
【０１２６】
また、副基板ケース蓋４７１は、副基板ケース蓋４７１が副基板ケース本体４２１に対して着脱可能な着脱可能位置と、副基板ケース蓋４７１が開口部４２１ａを覆って副基板ケース本体４２１と結合される結合位置とに、副基板ケース本体４２１に対して曲面形状（本体側曲面部４５４および蓋側曲面部５０４）の延伸方向と略垂直な方向に相対移動可能であり、副基板ケース蓋４７１が結合位置に相対移動した状態で、第３本体側溶着部４５３と第３蓋側溶着部５０３とが互いに当接可能に構成される。これにより、第３本体側溶着部４５３および第３蓋側溶着部５０３の形状を複雑にしつつ、副基板ケース本体４２１と副基板ケース蓋４７１とを容易に結合することができる。
【０１２７】
また、第３本体側溶着部４５３と第３蓋側溶着部５０３との当接面（第３本体側溶着面４５６および第３蓋側溶着面５０６）が、曲面形状（本体側曲面部４５４および蓋側曲面部５０４）の延伸方向に対し直線的に傾斜して延びて形成されている。これにより、第１実施形態と同様に、副基板ケース本体４２１および副基板ケース蓋４７１のうち少なくとも一方を破壊して副基板ケース４２０を不正に開放した後、破壊した部品を複製品と交換して復元する行為が困難になることから、副基板ケース４２０の不正な開放を防止することができ、不正行為を防止することができる。
【０１２８】
また、副基板ケース本体４２１および副基板ケース蓋４７１は、透明樹脂材料を用いて形成され、識別マーク５２１は、内部マーキングにより第３本体側溶着部４５３と第３蓋側溶着部５０３とに跨って形成される。これにより、第１実施形態と同様に、副基板ケース本体４２１および副基板ケース蓋４７１のうち少なくとも一方を破壊して副基板ケース４２０を不正に開放した後、破壊した部品を複製品と交換して復元する行為が困難になることから、副基板ケース４２０の不正な開放を防止することができ、不正行為を防止することができる。
【０１２９】
また、第３本体側溶着部４５３と第３蓋側溶着部５０３とが、互いに当接した状態で溶着される。これにより、第３本体側溶着部４５３と第３蓋側溶着部５０３との溶着部分を破壊しなければ副基板ケース４２０を開放することができないため、副基板ケース４２０の不正な開放を防止することができ、不正行為を防止することができる。
【０１３０】
上述の第２実施形態において、副基板ケース蓋４７１の第４蓋側溶着部５１３に第４ケース溶着用注入部５１５が形成されているが、これに限られるものではなく、副基板ケース本体４２１の第４本体側溶着部４６３に第４ケース溶着用注入部が形成されてもよい。また、コネクタカバー５６１のカバー側溶着部５６５にカバー溶着用注入部５６７が形成されているが、これに限られるものではなく、副基板ケース本体４２１のケース側溶着部４６７にカバー溶着用注入部が形成されてもよい。
【０１３１】
上述の第２実施形態において、第１蓋側溶着部４８５の第１蓋側溶着面４８６に第１ケース溶着用溝部４８８が形成されているが、これに限られるものではなく、第１本体側溶着部４３３の第１本体側溶着面４３４に第１ケース溶着用溝部が形成されてもよい。また、第２蓋側溶着部４９５の第２蓋側溶着面４９６に第２ケース溶着用溝部４９８が形成されているが、これに限られるものではなく、第２本体側溶着部４４３の第２本体側溶着面４４４に第２ケース溶着用溝部が形成されてもよい。また、第４蓋側溶着部５１３の第４蓋側溶着面５１４に第４ケース溶着用溝部５１６が形成されているが、これに限られるものではなく、第４本体側溶着部４６３の第４本体側溶着面４６４に第４ケース溶着用溝部が形成されてもよい。また、カバー側溶着部５６５のカバー側溶着面５６６にカバー溶着用溝部５６８が形成されているが、これに限られるものではなく、ケース側溶着部４６７のケース側溶着面４６８にカバー溶着用溝部が形成されてもよい。
【０１３２】
上述の第２実施形態において、第１ケース溶着用溝部４８８、第２ケース溶着用溝部４９８、第４ケース溶着用溝部５１６、およびカバー溶着用溝部５６８が、直線状に延びて形成されているが、これに限られるものではなく、例えば、格子状、葉脈状、放射状、波線状、串状等に延びて形成されてもよく、ケース溶着用注入部に注入された溶剤を溶着面の間に行き渡らせることができるように形成されていればよい。
【０１３３】
上述の第２実施形態において、第１ケース溶着用溝部４８８、第２ケース溶着用溝部４９８、および第４ケース溶着用溝部５１６が形成されているが、これに限られるものではなく、これらが形成されていなくてもよい。この場合例えば、第１本体側溶着面４３４お
よび第１蓋側溶着面４８６が、第１ケース溶着用注入部４８７に注入された溶剤を第１本体側溶着面４３４と第１蓋側溶着面４８６との間に行き渡らせることが可能な（例えば、断面視山形状の）曲面状に形成されてもよい。また例えば、第２本体側溶着面４４４および第２蓋側溶着面４９６が、第２ケース溶着用注入部４９７に注入された溶剤を第２本体側溶着面４４４と第２蓋側溶着面４９６との間に行き渡らせることが可能な（例えば、断面視山形状の）曲面状に形成されてもよい。また例えば、第４本体側溶着面４６４および第４蓋側溶着面５１４が、第４ケース溶着用注入部５１５に注入された溶剤を第４本体側溶着面４６４と第４蓋側溶着面５１４との間に行き渡らせることが可能な（例えば、山形状の）曲面状に形成されてもよい。このようにしても、溶剤が溶着面の全体に広がりやすくなるため、副基板ケース本体４２１と副基板ケース蓋４７１とを確実に溶着して結合することができる。
【０１３４】
上述の第２実施形態において、カバー溶着用溝部５６８が形成されているが、これに限られるものではなく、カバー溶着用溝部５６８が形成されていなくてもよい。この場合例えば、ケース側溶着面４６８およびカバー側溶着面５６６が、カバー溶着用注入部５６７に注入された溶剤をケース側溶着面４６８とカバー側溶着面５６６との間に行き渡らせることが可能な（例えば、山形状の）曲面状に形成されてもよい。このようにしても、溶剤が溶着面の全体に広がりやすくなるため、コネクタカバー５６１を副基板ケース本体４２１に確実に溶着することができる。
【０１３５】
上述の第２実施形態において、第３本体側溶着部４５３と第３蓋側溶着部５０３とに跨って識別マーク５２１が形成されているが、これに限られるものではなく、複数のマークが形成される構成であってもよい。また、識別マーク５２１は、図形の形状に限られるものではなく、例えば所定の数字の形状（製造番号、型式番号、識別番号等）であってもよい。
【０１３６】
上述の第２実施形態において、識別マーク５２１は、内部マーキングにより第３本体側溶着部４５３と第３蓋側溶着部５０３とに跨って形成されているが、これに限られるものではなく、レーザー加工機等を用いて第３本体側溶着部４５３および第３蓋側溶着部５０３の表面にマーキング処理が施されて形成されるようにしてもよい。
【０１３７】
上述の第２実施形態において、揮発性を有する溶剤を用いて溶着が行われているが、これに限られるものではなく、例えば、紫外線硬化型の接着剤による接着や、超音波溶着、熱溶着等による溶着が行われるようにしてもよい。
【０１３８】
上述の第２実施形態において、ケース側溶着部４６７とカバー側溶着部５６５とが、副基板ケース本体４２１の各本体側溶着部と副基板ケース蓋４７１の各蓋側溶着部との溶着と同様に、溶剤を用いて溶着されるように構成されているが、これに限られるものではない。例えば、ケース側溶着部４６７とカバー側溶着部５６５とが、超音波溶着や、熱溶着等により溶着されるようにしてもよく、ケース側溶着部４６７とカバー側溶着部５６５との溶着態様が、各本体側溶着部と各蓋側溶着部との溶着態様と異なるようにしてもよい。これにより、コネクタカバー５６１および副基板ケース本体４２１のうち少なくとも一方を破壊して副基板ケース４２０を不正に開放した後、破壊した部品を複製品と交換して復元する行為が困難になることから、副基板ケース４２０の不正な開放を防止することができ、不正行為を防止することができる。
【０１３９】
上述の各実施形態において、本発明が適用される基板ケースユニットの一例として、副制御装置１００を例示して説明したが、これに限定されるものではなく、例えば、主制御装置１５や、演出制御ユニット３５などについても同様に適用し、同様の効果を得ることができる。
【０１４０】
上述の各実施形態において、本発明が適用される遊技機の一例として、遊技メダルを使用するスロットマシン（回胴式遊技機）ＳＭを例示して説明したが、これに限定されるものではなく、例えば、遊技球を使用する回胴式遊技機や、雀球遊技機、アレンジボール機、パチンコ機などについても同様に適用し、同様の効果を得ることができる。
【符号の説明】
【０１４１】
ＳＭ  スロットマシン（遊技機）
１００  副制御装置（基板ケースユニットの第１実施形態）
１１０  サブメイン基板（制御基板）
１２０  副基板ケース
１２１  副基板ケース本体（第１ケース部材）
１３２  第１側壁部
１３３  第１本体側溶着部
１３４  第１本体側溶着面
１３５  第１ケース溶着用溝部
１３７  第１本体側スライド係合部
１４２  第２側壁部
１４３  第２本体側溶着部
１４４  第２本体側溶着面
１４５  第２ケース溶着用溝部
１４７  第２本体側スライド係合部
１５２  第３側壁部
１５３  第３本体側溶着部
１５４  本体側曲面部
１５６  第３本体側溶着面
１６２  第４側壁部
１６３  第４本体側溶着部
１６４  第４本体側溶着面
１６５  第４ケース溶着用溝部
１６７  ケース側溶着部
１６８  ケース側溶着面
１６９  カバー溶着用溝部
１７１  副基板ケース蓋（第２ケース部材）
１７６  基板露出部
１８２  第１サイドカバー部
１８３  第１スライドカバー部
１８４  第１蓋側スライド係合部
１８５  第１蓋側溶着部
１８６  第１蓋側溶着面
１８７  第１ケース溶着用注入部
１９２  第２サイドカバー部
１９３  第２スライドカバー部
１９４  第２蓋側スライド係合部
１９５  第２蓋側溶着部
１９６  第２蓋側溶着面
１９７  第２ケース溶着用注入部
２０２  第３サイドカバー部
２０３  第３蓋側溶着部
２０４  蓋側曲面部
２０６  第３蓋側溶着面
２１２  第４サイドカバー部
２１３  第４蓋側溶着部
２１４  第４蓋側溶着面
２１５  第４ケース溶着用注入部
２２１  第１の識別マーク
２２２  第２の識別マーク
２６１  コネクタカバー（カバー部材）
２６５  カバー側溶着部
２６６  カバー側溶着面
２６７  カバー溶着用注入部
４００  副制御装置（基板ケースユニットの第１実施形態）
４２０  副基板ケース
４２１  副基板ケース本体（第１ケース部材）
４３２  第１側壁部
４３３  第１本体側溶着部
４３４  第１本体側溶着面
４３７  第１本体側スライド係合部
４４２  第２側壁部
４４３  第２本体側溶着部
４４４  第２本体側溶着面
４４７  第２本体側スライド係合部
４５２  第３側壁部
４５３  第３本体側溶着部
４５４  本体側曲面部
４５６  第３本体側溶着面
４６２  第４側壁部
４６３  第４本体側溶着部
４６４  第４本体側溶着面
４６７  ケース側溶着部
４６８  ケース側溶着面
４７１  副基板ケース蓋（第２ケース部材）
４７６  基板露出部
４８２  第１サイドカバー部
４８３  第１スライドカバー部
４８４  第１蓋側スライド係合部
４８５  第１蓋側溶着部
４８６  第１蓋側溶着面
４８７  第１ケース溶着用注入部
４８８  第１ケース溶着用溝部
４９２  第２サイドカバー部
４９３  第２スライドカバー部
４９４  第２蓋側スライド係合部
４９５  第２蓋側溶着部
４９６  第２蓋側溶着面
４９７  第２ケース溶着用注入部
４９８  第２ケース溶着用溝部
５０２  第３サイドカバー部
５０３  第３蓋側溶着部
５０４  蓋側曲面部
５０６  第３蓋側溶着面
５０７  第３ケース溶着用注入部
５１２  第４サイドカバー部
５１３  第４蓋側溶着部
５１４  第４蓋側溶着面
５１５  第４ケース溶着用注入部
５１６  第４ケース溶着用溝部
５２１  識別マーク
５６１  コネクタカバー
５６５  カバー側溶着部
５６６  カバー側溶着面
５６７  カバー溶着用注入部
５６８  カバー溶着用溝部
【図１】
2018158263.tif 000003
【図２】
2018158263.tif 000004
【図３】
2018158263.tif 000005
【図４】
2018158263.tif 000006
【図５】
2018158263.tif 000007
【図６】
2018158263.tif 000008
【図７】
2018158263.tif 000009
【図８】
2018158263.tif 000010
【図９】
2018158263.tif 000011
【図１０】
2018158263.tif 000012
【図１１】
2018158263.tif 000013
【図１２】
2018158263.tif 000014
【図１３】
2018158263.tif 000015
【図１４】
2018158263.tif 000016
【図１５】
2018158263.tif 000017
【図１６】
2018158263.tif 000018
【図１７】
2018158263.tif 000019
【図１８】
2018158263.tif 000020
【図１９】
2018158263.tif 000021
【図２０】
2018158263.tif 000022
【図２１】
2018158263.tif 000023
【図２２】
2018158263.tif 000024